(57)【特許請求の範囲】
【請求項１】
第１の基地局装置と、
第２の基地局装置と、
前記第１の基地局装置が属するマスターセルグループおよび前記第２の基地局装置が属するセカンダリーセルグループを介して通信を行う端末装置を含む、
無線通信システムであって、
前記端末装置が、前記マスターセルグループを介して無線ベアラ設定情報を含む無線リソース設定情報を受信し、
前記セカンダリーセルグループに対応する前記端末装置のＲＬＣ層から前記端末装置のＲＲＣ層に前記セカンダリーセルグループに対するデータ再送回数が最大送信回数に達したことが通知された時に、前記端末装置のＲＲＣ層が、前記セカンダリーセルグループに対応する無線ベアラを停止し、前記セカンダリーセルグループに対する前記端末装置のＭＡＣ層のＭＡＣをリセットし、前記セカンダリーセルグループに対するＲＬＣ失敗を検出したことを示したメッセージを前記マスターセルグループを介して送信する、
無線通信システム。
【請求項２】
第１の基地局装置が属するマスターセルグループおよび第２の基地局装置が属するセカンダリーセルグループを介して通信を行う端末装置であって、
前記マスターセルグループを介して無線ベアラ設定情報を含む無線リソース設定情報を受信する手段と、
前記セカンダリーセルグループに対応する前記端末装置のＲＬＣ層から前記端末装置のＲＲＣ層に前記セカンダリーセルグループに対するデータ再送回数が最大送信回数に達したことが通知された時に、前記セカンダリーセルグループに対応する無線ベアラを停止し、前記セカンダリーセルグループに対する前記端末装置のＭＡＣ層のＭＡＣをリセットし、前記セカンダリーセルグループに対するＲＬＣ失敗を検出したことを示したメッセージを前記マスターセルグループを介して送信するＲＲＣ層と、
を含む端末装置。
【請求項３】
請求項２記載の端末装置であって、
前記セカンダリーセルグループに対応する前記端末装置のＲＬＣ層から前記端末装置のＲＲＣ層に前記セカンダリーセルグループに対する前記データ再送回数が最大送信回数に達したことが通知された時に、前記ＲＲＣ層が前記セカンダリーセルグループに対するパラメータを初期化する、
端末装置。
【請求項４】
第１の基地局装置と、第２の基地局装置と、前記第１の基地局装置が属するマスターセルグループおよび前記第２の基地局装置が属するセカンダリーセルグループを介して通信を行う端末装置を含む無線通信システムに適用される無線通信方法であって、
前記端末装置が、前記マスターセルグループを介して無線ベアラ設定情報を含む無線リソース設定情報を受信するステップと、
前記セカンダリーセルグループに対応する前記端末装置のＲＬＣ層から前記端末装置のＲＲＣ層に前記セカンダリーセルグループに対するデータ再送回数が最大送信回数に達したことが通知された時に、前記端末装置のＲＲＣ層が、前記セカンダリーセルグループに対応する前記無線ベアラを停止し、前記セカンダリーセルグループに対するＭＡＣ層のＭＡＣをリセットし、前記セカンダリーセルグループに対するＲＬＣ失敗を検出したことを示したメッセージを前記マスターセルグループを介して送信するステップと、
を含む無線通信方法。
【請求項５】
第１の基地局装置が属するマスターセルグループおよび第２の基地局装置が属するセカンダリーセルグループを介して通信を行う端末装置に適用される集積回路であって、
前記マスターセルグループを介して無線ベアラ設定情報を含む無線リソース設定情報を受信する手段と、
前記セカンダリーセルグループに対応する前記端末装置のＲＬＣ層から前記端末装置のＲＲＣ層に前記セカンダリーセルグループに対するデータ再送回数が最大送信回数に達したことが通知された時に、前記端末装置のＲＲＣ層によって、前記セカンダリーセルグループに対応する無線ベアラを停止し、前記セカンダリーセルグループに対する前記端末装置のＭＡＣ層のＭＡＣをリセットし、前記セカンダリーセルグループに対するＲＬＣ失敗を検出したことを示したメッセージを前記マスターセルグループを介して送信する手段と、
を有する集積回路。
【請求項６】
第１の基地局装置が属するマスターセルグループおよび第２の基地局装置が属するセカンダリーセルグループを介して通信を行う端末装置における処理方法であって、
前記マスターセルグループを介して無線ベアラ設定情報を含む無線リソース設定情報を受信し、
前記セカンダリーセルグループに対応する前記端末装置のＲＬＣ層から前記端末装置のＲＲＣ層に前記セカンダリーセルグループに対するデータ再送回数が最大送信回数に達したことが通知された時に、前記端末装置のＲＲＣ層によって、前記セカンダリーセルグループに対する前記無線ベアラを停止し、前記セカンダリーセルグループに対する前記端末装置のＭＡＣ層のＭＡＣをリセットし、前記セカンダリーセルグループに対するＲＬＣ失敗を検出したことを示したメッセージを前記マスターセルグループを介して送信する、
処理方法。
【発明の詳細な説明】
【技術分野】
【０００１】
本発明は、無線通信システム、基地局装置および端末装置に関連し、より詳細には、データ制御に関する無線通信システム、基地局装置、端末装置、無線通信方法および集積回路に関する。
本願は、２０１４年３月１８日に、日本に出願された特願２０１４−０５４９４７号に基づき優先権を主張し、その内容をここに援用する。
【背景技術】
【０００２】
３ＧＰＰ（3rd Generation Partnership Project）では、Ｗ−ＣＤＭＡ方式が第三世代セルラー移動通信方式として標準化され、サービスが行われている。また、通信速度を更に上げたＨＳＤＰＡも標準化され、サービスが行われている。【０００３】
一方、３ＧＰＰでは、第三世代無線アクセスの進化（Evolved Universal Terrestrial Radio Access；以下、「EUTRA」と呼称する。）の標準化も行なわれ、サービスが開始されている。ＥＵＴＲＡの下りリンクの通信方式として、マルチパス干渉に強く、高速伝送に適したＯＦＤＭ（Orthogonal Frequency Division Multiplexing）方式が採用されている。また、上りリンクの通信方式として、移動局装置のコストと消費電力を考慮し、送信信号のピーク電力対平均電力比ＰＡＰＲ（Peak to Average Power Ratio）を低減できるシングルキャリア周波数分割多重方式ＳＣ−ＦＤＭＡ（Single Carrier-Frequency Division Multiple Access）のＤＦＴ（Discrete Fourier Transform（離散フーリエ変換））−ｓｐｒｅａｄ  ＯＦＤＭ方式が採用されている。【０００４】
また、３ＧＰＰでは、ＥＵＴＲＡの更なる進化のＡｄｖａｎｃｅｄ−ＥＵＴＲＡの議論も開始されている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことが想定されている。【０００５】
Ａｄｖａｎｃｅｄ−ＥＵＴＲＡでは、ＥＵＴＲＡの移動局装置も収容できるようにＥＵＴＲＡと互換性のある帯域を複数個束ねることで、最大１００ＭＨｚ帯域を実現することが考えられている。尚、Ａｄｖａｎｃｅｄ−ＥＵＴＲＡでは、ＥＵＴＲＡの１つの２０ＭＨｚ以下の帯域をコンポーネントキャリア（Component Carrier : ＣＣ）と呼ばれている。コンポーネントキャリアは、セル（Cell）とも呼ばれている。また、２０ＭＨｚ以下の帯域を束ねることをキャリアアグリゲーション(Carrier Aggregation：ＣＡ)と呼ばれている（非特許文献１）。【０００６】
また、Ａｄｖａｎｃｅｄ−ＥＵＴＲＡでは、マクロセル(Macro Cell)とマクロセルの範囲内にあるスモールセル(Small Cell)とで周波数内または周波数間のキャリアアグリゲーションを行うことを検討している。マクロセルの範囲内にあるとは、周波数が異なることも含む。非特許文献２では、マクロセルとスモールセルのキャリアアグリゲーション時の基地局装置と移動局装置間の通信において、マクロセルで制御情報（制御平面情報：Control-Plane Information）を送信し、スモールセルでユーザー情報（ユーザー平面情報：User-Plane Information）を送信することが提案されている。非特許文献２で示されているマクロセルとスモールセルのキャリアアグリゲーションをデュアルコネクト（Dual Connect（またはデュアルコネクティビティ（Dual Connectivity））とも言う。【０００７】
更にデュアルコネクトでは、同じ無線ベアラ（Radio Bearer:ＲＢ）の情報をマクロセルの基地局装置とスモールセルの基地局装置から移動局装置に送信し、また、同じ無線ベアラ（Radio Bearer:ＲＢ）の情報を移動局装置からマクロセルの基地局装置とスモールセルの基地局装置に送信することも考えられている。尚、このような同じ無線ベアラの情報を異なる基地局装置を介して、基地局装置と移動局装置とが送受信する制御をベアラ分割(Bearer Split)と言う。
【先行技術文献】
【非特許文献】
【０００８】
【非特許文献１】3GPP TS(Technical Specification)36.300、V11.7.0(2013-09)、Evolved Universal Terrestrial Radio Access(E-UTRA) and Evolved Universal Terrestrial Radio Access Network(E-UTRAN)、Overall description Stage2
【非特許文献２】3GPP TR(Technical Report)36.842、V1.0.0(2013-11)、Study on Small Cell Enhancements for E-UTRA and E-UTRAN - Higher layer aspects(release 12)
【発明の概要】
【発明が解決しようとする課題】
【０００９】
しかしながら、非特許文献２で示されたように基地局装置と移動局装置間の通信において、マクロセルの基地局装置およびスモールセルの基地局装置と移動局装置間でベアラ分割を行い、データの送受信を行う場合、適切なセルを選択してデータ送受信するように制御しなければ、データスループットが下がってしまう。【００１０】
特に移動局装置からマクロセルの基地局装置およびスモールセルの基地局装置への上りリンクデータのベアラ分割を行う場合、移動局装置がデータを送信するセルを適切に選択するようにしなければならない。また、移動局装置が、どちらか一方の基地局装置と通信が困難になった場合においても通信を継続しなければならない。【００１１】
本発明のいくつかの態様は、このような事情に鑑みてなされたものであり、デュアルコネクトのベアラ分割時に移動局装置が効率良くデータ送信処理を実行することが可能な無線通信システム、移動局装置、無線通信方法、集積回路および処理方法を提供することを目的とする。
【課題を解決するための手段】
【００１２】
（１）上記の目的を達成するために、本発明のいくつかの態様は、以下のような手段を講じた。すなわち、本発明の第１の態様による無線通信システムは、第１の基地局装置および第２の基地局装置が端末装置と通信を行う無線通信システムであって、前記第１の基地局装置は、前記第１の基地局装置または前記第２の基地局装置の無線ベアラ設定情報を含む無線リソース設定情報を前記端末装置に送信し、前記端末装置は、前記無線リソース設定情報を受信し、前記第１の基地局装置に対するＲＬＣ失敗を検出した場合、再確立手順を実行し、前記第２の基地局装置に対するＲＬＣ失敗を検出した場合、前記第２の基地局装置に対するＲＬＣ失敗を検出したことを示したメッセージを前記第１の基地局装置に送信し、前記第２の基地局装置に対する前記無線ベアラを停止する。【００１３】
（２）本発明の第２の態様による端末装置は、第１の基地局装置および第２の基地局装置と通信を行う端末装置であって、前記第１の基地局装置から無線ベアラ設定情報を含む無線リソース設定情報を受信し、前記第２の基地局装置に対するＲＬＣ失敗を検出した場合、前記第２の基地局装置に対するＲＬＣ失敗を検出したことを示したメッセージを前記第１の基地局装置に送信し、前記第２の基地局装置に対する前記無線ベアラを停止する。【００１４】
（３）本発明の第２の態様による端末装置において、前記第２の基地局装置に対するＲＬＣ失敗を検出した場合、前記第２の基地局装置に対するパラメータを初期化してもよい。【００１５】
（４）本発明の第３の態様による無線通信方法は、第１の基地局装置と第２の基地局装置とが端末装置と通信を行う無線通信システムに適用される無線通信方法であって、前記第１の基地局装置は、前記第１の基地局装置または前記第２の基地局装置の無線ベアラ設定情報を含む無線リソース設定情報を前記端末装置に送信するステップと、前記端末装置は、前記無線リソース設定情報を受信するステップと、前記第１の基地局装置に対するＲＬＣ失敗を検出した場合、再確立手順を実行ステップと、前記第２の基地局装置に対するＲＬＣ失敗を検出した場合、前記第２の基地局装置に対するＲＬＣ失敗を検出したことを示したメッセージを前記第１の基地局装置に送信し、前記第２の基地局装置に対する前記無線ベアラを停止するステップを含む。【００１６】
（５）本発明の第４の態様による集積回路は、第１の基地局装置および第２の基地局装置と通信を行う端末装置に適用される集積回路であって、前記第１の基地局装置から無線ベアラ設定情報を含む無線リソース設定情報を受信する手段と、前記第２の基地局装置に対するＲＬＣ失敗を検出した場合、前記第２の基地局装置に対するＲＬＣ失敗を検出したことを示したメッセージを前記第１の基地局装置に送信する手段と、前記第２の基地局装置に対する前記無線ベアラを停止する手段を有する。【００１７】
（６）本発明の第５の態様による処理方法は、第１の基地局装置および第２の基地局装置と通信を行う端末装置における処理方法であって、前記第１の基地局装置から無線ベアラ設定情報を含む無線リソース設定情報を受信し、前記第２の基地局装置に対するＲＬＣ失敗を検出した場合、前記第２の基地局装置に対するＲＬＣ失敗を検出したことを示したメッセージを前記第１の基地局装置に送信し、前記第２の基地局装置に対する前記無線ベアラを停止する。【００１８】
（７）本発明の第６の態様による端末装置は、第１の基地局装置および第２の基地局装置と前記第１の基地局装置に属するマスターセルグループのセルおよび前記第２の基地局装置に属するセカンダリーセルグループのセルを介して通信を行う端末装置であって、ＲＲＣ層は、前記セカンダリーセルグループに対応するＲＬＣ層からＲＬＣ失敗を通知された場合、前記セカンダリーセルグループに対するＲＬＣ失敗を示したメッセージを作成し、前記ＭＡＣ層のＭＡＣリセットを行う。【００１９】
（８）本発明の第７の態様による処理方法は、第１の基地局装置および第２の基地局装置と前記第１の基地局装置に属するマスターセルグループのセルおよび前記第２の基地局装置に属するセカンダリーセルグループのセルを介して通信を行う端末装置における処理方法であって、ＲＲＣ層は、前記セカンダリーセルグループに対応するＲＬＣ層からＲＬＣ失敗を通知された場合、前記セカンダリーセルグループに対するランダムアクセス失敗を示したメッセージを作成し、前記ＭＡＣ層のＭＡＣリセットを行う。【００２０】
（９）本発明の第８の態様による集積回路は、第１の基地局装置および第２の基地局装置と前記第１の基地局装置に属するマスターセルグループのセルおよび前記第２の基地局装置に属するセカンダリーセルグループのセルを介して通信を行う端末装置に適用される集積回路であって、ＲＲＣ層は、前記セカンダリーセルグループに対応するＲＬＣ層からＲＬＣ失敗を通知された場合、前記セカンダリーセルグループに対するランダムアクセス失敗を示したメッセージを作成する手段と、前記ＭＡＣ層のＭＡＣリセットを行う手段を有する。
【発明の効果】
【００２１】
本発明のいくつかの態様によれば、移動局装置は、マクロセルの基地局装置またはスモールセルの基地局装置に効率的なデータ送信を行うことが可能となる。
【図面の簡単な説明】
【００２２】
【図１】本発明の実施形態に係る移動局装置の構成の一例を示す図である。
【図２】本発明の実施形態に係る基地局装置の構成の一例を示す図である。
【図３】本発明の実施形態に係る基地局装置の構成の一例を示す図である。
【図４】本発明の実施形態に係る移動局装置の通信プロトコル構成の一例を示す図である。
【図５】本発明の実施形態に係る移動局装置の通信プロトコル構成の一例を示す図である。
【図６】ＥＵＴＲＡにおける物理チャネル構成の一例を示す図である。
【図７】ＥＵＴＲＡにおける下りリンクのチャネル構成の一例を示す図である。
【図８】ＥＵＴＲＡにおける上りリンクのチャネル構成の一例を示す図である。
【図９】基地局装置及び移動局装置の制御情報に関する通信プロトコルの構成の一例を示す図である。
【図１０】基地局装置及び移動局装置のユーザー情報に関する通信プロトコルの構成の一例を示す図である。
【図１１】デュアルコネクトの一例についての説明図である。
【図１２】デュアルコネクトの一例についての説明図である。
【図１３】デュアルコネクトの一例についての説明図である。
【発明を実施するための形態】
【００２３】
ＥＵＴＲＡの下りリンクとして、ＯＦＤＭ方式が採用されている。また、ＥＵＴＲＡの上りリンクとして、ＤＦＴ−ｓｐｒｅａｄ  ＯＦＤＭ方式のシングルキャリア通信方式が採用されている。
【００２４】
図６は、ＥＵＴＲＡの物理チャネル構成を示す図である。下りリンクの物理チャネルは、物理下りリンク共用チャネルＰＤＳＣＨ（Physical Downlink Shared Channel）、物理下りリンク制御チャネルＰＤＣＣＨ（Physical Downlink Control Channel）、物理報知チャネルＰＢＣＨ（Physical Broadcast Channel）により構成されている。この他に下りリンク同期信号、下りリンク参照信号の物理信号がある（非特許文献１）。
【００２５】
上りリンクの物理チャネルは、物理ランダムアクセスチャネルＰＲＡＣＨ（Physical Random Access Channel）、物理上りリンク共用チャネルＰＵＳＣＨ（Physical Uplink Shared Channel）、物理上りリンク制御チャネルＰＵＣＣＨ（Physical Uplink Control Channel）により構成されている。この他に上りリンク参照信号の物理信号がある（非特許文献１）。
【００２６】
図７は、ＥＵＴＲＡの下りリンクのチャネル構成を示す図である。図７に示す下りリンクのチャネルは、それぞれ論理チャネル、トランスポートチャネル、物理チャネルから構成されている。論理チャネルは、媒体アクセス制御（ＭＡＣ：Medium Access Control）層で送受信されるデータ送信サービスの種類を定義する。トランスポートチャネルは、無線インターフェースで送信されるデータがどのような特性をもち、そのデータがどのように送信されるのかを定義する。物理チャネルは、トランスポートチャネルによって物理層に伝達されたデータを運ぶ物理的なチャネルである。
【００２７】
下りリンクの論理チャネルには、報知制御チャネルＢＣＣＨ（Broadcast Control Channel）、ページング制御チャネルＰＣＣＨ（Paging Control Channel）、共通制御チャネルＣＣＣＨ（Common Control Channel）、専用制御チャネルＤＣＣＨ（Dedicated Control Channel）、専用トラフィックチャネルＤＴＣＨ（Dedicated Traffic Channel）が含まれる。
【００２８】
下りリンクのトランスポートチャネルには、報知チャネルＢＣＨ（Broadcast Channel）、ページングチャネルＰＣＨ（Paging Channel）、下りリンク共用チャネルＤＬ−ＳＣＨ（Downlink Shared Channel）が含まれる。
【００２９】
下りリンクの物理チャネルには、物理報知チャネルＰＢＣＨ（Physical Broadcast Channel）、物理下りリンク制御チャネルＰＤＣＣＨ（Physical Downlink Control Channel）、物理下りリンク共用チャネルＰＤＳＣＨ（Physical Downlink Shared Channel）が含まれる。これらのチャネルは、基地局装置と移動局装置の間で送受信される。
【００３０】
次に、論理チャネルについて説明する。報知制御チャネルＢＣＣＨは、システム制御情報を報知するために使用される下りリンクチャネルである。ページング制御チャネルＰＣＣＨは、ページング情報を送信するために使用される下りリンクチャネルであり、ネットワークが移動局装置のセル位置を知らないときに使用される。共通制御チャネルＣＣＣＨは、移動局装置とネットワーク間の制御情報を送信するために使用されるチャネルであり、ネットワークと無線リソース制御（ＲＲＣ：Radio Resource Control）接続を有していない移動局装置によって使用される。
【００３１】
専用制御チャネルＤＣＣＨは、１対１（point-to-point）の双方向チャネルであり、移動局装置とネットワーク間で個別の制御情報を送信するために利用するチャネルである。専用制御チャネルＤＣＣＨは、ＲＲＣ接続を有している移動局装置によって使用される。専用トラフィックチャネルＤＴＣＨは、１対１の双方向チャネルであり、１つの移動局装置専用のチャネルであって、ユーザー情報（ユニキャストデータ）の転送のために利用される。
【００３２】
次に、トランスポートチャネルについて説明する。報知チャネルＢＣＨは、固定かつ事前に定義された送信形式によって、セル全体に報知される。下りリンク共用チャネルＤＬ−ＳＣＨでは、ＨＡＲＱ（Hybrid Automatic Repeat Request：ハイブリッド自動再送要求）、動的適応無線リンク制御、間欠受信（ＤＲＸ：Discontinuous Reception）がサポートされ、セル全体に報知される必要がある。
【００３３】
ページングチャネルＰＣＨでは、ＤＲＸがサポートされ、セル全体に報知される必要がある。また、ページングチャネルＰＣＨは、トラフィックチャネルや他の制御チャネルに対して動的に使用される物理リソース、すなわち物理下りリンク共用チャネルＰＤＳＣＨにマッピングされる。
【００３４】
次に、物理チャネルについて説明する。物理報知チャネルＰＢＣＨは、４０ミリ秒周期で報知チャネルＢＣＨをマッピングする。物理下りリンク制御チャネルＰＤＣＣＨは、下りリンク共用チャネルＰＤＳＣＨのリソース割り当て、下りリンクデータに対するハイブリッド自動再送要求（ＨＡＲＱ）情報、および、物理上りリンク共用チャネルＰＵＳＣＨのリソース割り当てである上りリンク送信許可（上りリンクグラント：Uplink grant）を移動局装置に通知するために使用されるチャネルである。物理下りリンク共用チャネルＰＤＳＣＨは、下りリンクデータまたはページング情報を送信するために使用されるチャネルである。
【００３５】
次に、チャネルマッピングについて説明する。図７に示されるように、下りリンクでは、次のようにトランスポートチャネルと物理チャネルのマッピングが行われる。報知チャネルＢＣＨは、物理報知チャネルＰＢＣＨにマッピングされる。ページングチャネルＰＣＨおよび下りリンク共用チャネルＤＬ−ＳＣＨは、物理下りリンク共用チャネルＰＤＳＣＨにマッピングされる。物理下りリンク制御チャネルＰＤＣＣＨは、物理チャネル単独で使用される。
【００３６】
また、下りリンクにおいて、次のように論理チャネルとトランスポートチャネルのマッピングが行われる。ページング制御チャネルＰＣＣＨは、ページングチャネルＰＣＨにマッピングされる。報知制御チャネルＢＣＣＨは、報知チャネルＢＣＨと下りリンク共用チャネルＤＬ−ＳＣＨにマッピングされる。共通制御チャネルＣＣＣＨ、専用制御チャネルＤＣＣＨ、専用トラフィックチャネルＤＴＣＨは、下りリンク共用チャネルＤＬ−ＳＣＨにマッピングされる。
【００３７】
図８は、ＥＵＴＲＡの上りリンクのチャネル構成を示す図である。図８に示す上りリンクのチャネルは、それぞれ論理チャネル、トランスポートチャネル、物理チャネルから構成されている。各チャネルの定義は下りリンクのチャネルと同じである。
【００３８】
上りリンクの論理チャネルには、共通制御チャネルＣＣＣＨ（Common Control Channel）、専用制御チャネルＤＣＣＨ（Dedicated Control Channel）、専用トラフィックチャネルＤＴＣＨ（Dedicated Traffic Channel）が含まれる。
【００３９】
上りリンクのトランスポートチャネルには、上りリンク共用チャネルＵＬ−ＳＣＨ（Uplink Shared Channel）とランダムアクセスチャネルＲＡＣＨ（Random Access Channel）が含まれる。
【００４０】
上りリンクの物理チャネルには、物理上りリンク制御チャネルＰＵＣＣＨ（Physical Uplink Control Channel）、物理上りリンク共用チャネルＰＵＳＣＨ（Physical Uplink Shared Channel）と物理ランダムアクセスチャネルＰＲＡＣＨ（Physical Random Access Channel）が含まれる。これらのチャネルは、基地局装置と移動局装置の間で送受信される。尚、物理ランダムアクセスチャネルＰＲＡＣＨは、主に移動局装置から基地局装置への送信タイミング情報を取得するためのランダムアクセスプリアンブル送信に使用される。ランダムアクセスプリアンブル送信はランダムアクセス手順の中で行なわれる。
【００４１】
次に、論理チャネルについて説明する。共通制御チャネルＣＣＣＨは、移動局装置とネットワーク間の制御情報を送信するために使用されるチャネルであり、ネットワークと無線リソース制御（ＲＲＣ：Radio Resource Control）接続が確立していない移動局装置によって使用される。
【００４２】
専用制御チャネルＤＣＣＨは、１対１（point-to-point）の双方向チャネルであり、移動局装置とネットワーク間で個別の制御情報を送信するために利用するチャネルである。専用制御チャネルＤＣＣＨは、ＲＲＣ接続を有している移動局装置によって使用される。専用トラフィックチャネルＤＴＣＨは、１対１の双方向チャネルであり、１つの移動局装置専用のチャネルであって、ユーザー情報（ユニキャストデータ）の転送のために利用される。
【００４３】
次に、トランスポートチャネルについて説明する。上りリンク共用チャネルＵＬ−ＳＣＨでは、ＨＡＲＱ（Hybrid Automatic Repeat Request：ハイブリッド自動再送要求）、動的適応無線リンク制御、間欠送信（ＤＴＸ：Discontinuous Transmission）がサポートされる。ランダムアクセスチャネルＲＡＣＨでは、制限された制御情報が送信される。
【００４４】
次に、物理チャネルについて説明する。物理上りリンク制御チャネルＰＵＣＣＨは、下りリンクデータに対する応答情報（ＡＣＫ／ＮＡＣＫ）、下りリンクの無線チャネル品質情報および、上りリンクデータの送信要求（スケジューリングリクエスト：Scheduling Request：ＳＲ）を基地局装置に通知するために使用されるチャネルである。物理上りリンク共用チャネルＰＵＳＣＨは、上りリンクデータを送信するために使用されるチャネルである。物理ランダムアクセスチャネルは、ランダムアクセスプリアンブルを送信するために使用されるチャネルである。
【００４５】
次に、チャネルマッピングについて説明する。上りリンクでは、図８に示されるようにトランスポートチャネルと物理チャネルのマッピングが行われる。上りリンク共用チャネルＵＬ−ＳＣＨは、物理上りリンク共用チャネルＰＵＳＣＨにマッピングされる。ランダムアクセスチャネルＲＡＣＨは、物理ランダムアクセスチャネルＰＲＡＣＨにマッピングされる。物理上りリンク制御チャネルＰＵＣＣＨは、マッピングされるトランスポートチャネルのない物理チャネルである。
【００４６】
また、上りリンクにおいて、次のように論理チャネルとトランスポートチャネルのマッピングが行われる。共通制御チャネルＣＣＣＨ、専用制御チャネルＤＣＣＨ、専用トラフィックチャネルＤＴＣＨは、上りリンク共用チャネルＵＬ−ＳＣＨにマッピングされる。
【００４７】
図９は、ＥＵＴＲＡの移動局装置及び基地局装置の制御データを扱うプロトコルスタック（Protocol stack）である。図１０は、ＥＵＴＲＡの移動局装置及び基地局装置のユーザーデータを扱うプロトコルスタックである。図９及び図１０について以下で説明する。
【００４８】
物理層（Physical layer：ＰＨＹ層）は、物理チャネル（Physical Channel）を利用して上位層に伝送サービスを提供する。ＰＨＹ層は、上位の媒体アクセス制御層（Medium Access Control layer：ＭＡＣ層）とトランスポートチャネルで接続される。トランスポートチャネルを介して、ＭＡＣ層とＰＨＹ層とレイヤ（layer：層）間でデータが移動する。移動局装置と基地局装置のＰＨＹ層間において、物理チャネルを介してデータの送受信が行われる。
【００４９】
ＭＡＣ層は、多様な論理チャネルを多様なトランスポートチャネルにマッピングを行う。ＭＡＣ層は、上位の無線リンク制御層（Radio Link Control layer：ＲＬＣ層）とは論理チャネルで接続される。論理チャネルは、伝送される情報の種類によって大きく分けられ、制御情報を伝送する制御チャネルとユーザー情報を伝送するトラフィックチャネルに分けられる。ＭＡＣ層は、間欠受信／間欠送信（ＤＲＸ／ＤＴＸ）を行うためにＰＨＹ層の制御を行う機能、ランダムアクセス手順を実行する機能、送信電力情報（パワーヘッドループレポート）を通知する機能、ＨＡＲＱ制御を行う機能等を持っている。
【００５０】
ＲＬＣ層は、上位層から受信したデータを分割（Segmentation）及び連結(Concatenation)し、下位層が適切にデータ送信できるようにデータサイズを調節する。ＲＬＣ層は、下位層から受信したデータの結合を行い、上位層に転送する。また、ＲＬＣ層は、各データが要求するＱｏＳ（Quality of Service）を保証するための機能（データの再送制御）も持つ。
【００５１】
ＲＬＣ層のサービスは、ＴＭ（Transparent Mode）、ＵＭ（Unacknowledged Mode）、ＡＭ（Acknowledged Mode）の３つのモードがある。ＴＭ（Transparent Mode）は、上位層から受信したデータをそのまま伝送するサービスである。ＵＭ（Unacknowledged Mode）は、送信側のＲＬＣ層でシーケンス番号を付加して、受信側のＲＬＣ層で順序を確認し、重複データを破棄するなどのサービスである。ＡＭ（Acknowledged Mode）は、再送制御を提供するサービスである。
【００５２】
パケットデータコンバージェンスプロトコル層（Packet Data Convergence Protocol layer：ＰＤＣＰ層）は、ユーザーデータであるＩＰパケットを無線区間で効率的に伝送するために、制御情報の圧縮を行うヘッダ圧縮機能を持つ。また、ＰＤＣＰ層は、データの暗号化の機能も持つ。
【００５３】
無線リソース制御層（Radio Resource Control layer：ＲＲＣ層）は、制御情報のみ定義される。ＲＲＣ層は、無線ベアラ（Radio Bearer：ＲＢ）の設定・再設定を行い、論理チャネル、トランスポートチャネル及び物理チャネルの制御を行う。ＲＢは、シグナリグ無線ベアラ（Signaling Radio Bearer：ＳＲＢ）とデータ無線ベアラ（Data Radio Bearer：ＤＲＢ）とに分けられる。ＳＲＢは、制御情報であるＲＲＣメッセージを送信する経路として利用される。ＤＲＢは、ユーザー情報を送信する経路として利用される。基地局装置と移動局装置のＲＲＣ層間で各ＲＢの設定が行われる。
【００５４】
尚、ＰＨＹ層は一般的に知られる開放型システム間相互接続（Open Systems Interconnection：ＯＳＩ）モデルの階層構造の中で第一層の物理層に対応し、ＭＡＣ層、ＲＬＣ層およびＰＤＣＰ層はＯＳＩモデルの第二層であるデータリンク層に対応し、ＲＲＣ層はＯＳＩモデルの第三層であるネットワーク層に対応する。
【００５５】
ランダムアクセス手順について以下に説明する。ランダムアクセス手順には、競合ベースランダムアクセス手順（Contention based Random Access procedure）と非競合ベースランダムアクセス手順（Non-contention based Random Access procedure）の２つのアクセス手順がある（非特許文献１）。
【００５６】
競合ベースランダムアクセス手順は、移動局装置間で競合する可能性のあるランダムアクセス手順であり、基地局装置と接続（通信）していない状態からの初期アクセス時や基地局装置と接続中であるが、上りリンク同期が外れている状態で移動局装置に上りリンクデータ送信が発生した場合のスケジューリングリクエストなどに行われる。
【００５７】
非競合ベースランダムアクセス手順は、移動局装置間で競合が発生しないランダムアクセス手順であり、基地局装置と移動局装置が接続中であるが、上りリンクの同期が外れている場合に迅速に移動局装置と基地局装置との間の上りリンク同期をとるためにハンドオーバーや移動局装置の送信タイミングが有効でない場合等の特別な場合に基地局装置から指示されて移動局装置がランダムアクセス手順を開始する。非競合ベースランダムアクセス手順は、ＲＲＣ（Radio Resource Control：Layer3）層のメッセージ及び物理下りリンク制御チャネルＰＤＣＣＨの制御データにより指示される。
【００５８】
競合ベースランダムアクセス手順を簡単に説明する。まず、移動局装置１−１がランダムアクセス手順設定情報を利用してランダムアクセスプリアンブルを選択し、ランダムアクセスプリアンブルを基地局装置３−１に送信する（メッセージ１：（１）、ステップＳ１）。そして、ランダムアクセスプリアンブルを受信した基地局装置３−１が、ランダムアクセスプリアンブルに対する応答（ランダムアクセスレスポンス）を移動局装置１−１に送信する（メッセージ２：（２）、ステップＳ２）。移動局装置１−１がランダムアクセスレスポンスに含まれているスケジューリング情報を元に上位レイヤ（Layer2/Layer3）のメッセージを送信する（メッセージ３：（３）、ステップＳ３）。基地局装置３−１は、（３）の上位レイヤメッセージを受信できた移動局装置１−１に競合確認メッセージを送信する（メッセージ４：（４）、ステップＳ４）。尚、競合ベースランダムアクセスをランダムプリアンブル送信とも言う。
【００５９】
非競合ベースランダムアクセス手順を簡単に説明する。まず、基地局装置３−１は、プリアンブル番号（または、シーケンス番号）と使用するランダムアクセスチャネル番号を移動局装置１−１に通知する（メッセージ０：（１）’、ステップＳ１１）。移動局装置１−１は、指定されたプリアンブル番号のランダムアクセスプリアンブルを指定されたランダムアクセスチャネルＲＡＣＨに送信する（メッセージ１：（２）’、ステップＳ１２）。そして、ランダムアクセスプリアンブルを受信した基地局装置３−１が、ランダムアクセスプリアンブルに対する応答（ランダムアクセスレスポンス）を移動局装置１−１に送信する（メッセージ２：（３）’、ステップＳ１３）。ただし、通知されたプリアンブル番号の値が０の場合は、競合ベースランダムアクセス手順を行なう。尚、非競合ベースランダムアクセス手順を専用プリアンブル送信とも言う。
【００６０】
尚、移動局装置１−１は、ランダムアクセス手順設定情報を基地局装置３−１から取得する。また、移動局装置１−１は、基地局装置３−１か物理ランダムアクセス設定情報も取得する。ランダムアクセス手順設定情報には、ランダムプリアンブル数情報、ランダムアクセスレスポンス受信に関する情報、ランダムアクセスプリアンブル送信に関する情報、メッセージ３送信に関する情報、競合確認メッセージ受信に関するなどがある。また、物理ランダムアクセスチャネル設定情報には、物理ランダムアクセスチャネルの配置情報、ンダムアクセスプリアンブル生成情報などがある。
【００６１】
スケジューリングリクエスト（SR : Scheduling Request）について以下に説明する。物理上りリンク制御チャネルＰＵＣＣＨは、物理下りリンク共用チャネルＰＵＳＣＨで送信される下りリンクデータの応答（ＡＣＫ／ＮＡＣＫ）、下りリンクの無線チャネル品質情報（Channel Quality Indicator：ＣＱＩ）、上りリンクデータの送信要求（Scheduling Request：スケジューリングリクエスト）の送信に使用される。移動局装置１−１が上りリンクデータの送信要求を行う場合、基地局装置３−１から割り当てられた物理上りリンク制御チャネルＰＵＣＣＨを利用して、スケジューリングリクエストを基地局装置３−１に送信する。
【００６２】
スケジューリングリクエスト送信後、基地局装置３−１から物理上りリンク共用チャネルＰＵＳＣＨを割り当てられた場合、移動局装置１−１は、割り当てられた物理上りリンク共用チャネルＰＵＳＣＨで移動局装置１−１の送信データのバッファ状態情報を示すバッファステータスレポート（Buffer Status Report：ＢＳＲ）を送信する。尚、基地局装置３−１は、バッファステータスレポートに基づいて移動局装置１−１への上りリンクデータスケジューリングを行う。
【００６３】
スケジューリングリクエスト送信後、基地局装置３−１から物理上りリンク共用チャネルＰＵＳＣＨを割り当てられない場合、移動局装置１−１は、再度、スケジューリングリクエストを送信する。スケジューリングリクエストの再送を繰り返しても基地局装置３−１から物理上りリンク共用チャネルＰＵＳＣＨを割り当てられない場合、移動局装置１−１は、割り当てられている物理上りリンク制御チャネルＰＵＣＣＨおよび上りリンク参照信号を解放して、スケジューリングリクエストを目的としたランダムアクセス手順を実行する。尚、ランダムアクセス手順によるスケジューリングリクエストでは、移動局装置１−１は、メッセージ３の送信でバッファステータスレポートを送信する。
【００６４】
移動局装置のＭＡＣ層の機能について、より詳細に以下に説明する
ＭＡＣ層は、各論理チャネルをトランスポートチャネルにマッピングする機能を持っている。この手順は論理チャネル優先順位付け（Logical Channel Prioritization：ＬＣＰ）手順と呼ばれている。基本的なＬＣＰ手順は、各論理チャネルの優先度と、無線ベアラのＱｏＳに対応する一定期間内に送信しなければならない送信ビットレート（Prioritized Bit Rate：ＰＢＲ）とを考慮して送信データの送信優先順位を決定し、上りリンクグラントを受信した時点での送信優先順位の高いデータからトランスポートチャネルにマッピングを行う。基地局装置との接続時にＭＡＣ層は、各ＲＢの論理チャネル番号、論理チャネルの優先度とＰＢＲ等の情報をＲＲＣ層から取得する。
【００６５】
また、ＭＡＣ層は、各論理チャネルに対応する送信バッファのデータ量を通知する機能を持っている。この機能をバッファステータスレポート（Buffer Status Report：ＢＳＲ）と言う。ＢＳＲでは、各論理チャネルを論理チャネルグループ（Logical Channel Group：ＬＣＧ）に割り当て、各ＬＣＧに対する送信バッファ量をＭＡＣ層のメッセージとして基地局装置に通知する。
【００６６】
ＢＳＲがトリガされる条件として、いくつかの条件がある。例えば、送信可能なデータが発生し、更に、このデータが送信バッファにあるデータより論理チャネルの優先度が高い場合にＢＳＲのトリガ条件が満たされる。また、１つの定期的なタイマーが満了した場合にＢＳＲのトリガ条件が満たされる。尚、ＢＳＲには、１つの論理チャネルグループのバッファ状態を報告するＳｈｏｒｔ  ＢＳＲと複数の論理チャネルグループのバッファ状態を報告するＬｏｎg  ＢＳＲがある。
【００６７】
尚、ＢＳＲのトリガ条件が満たされた場合にＢＳＲを通知するための無線リソース（物理上りリンク共用チャネルＰＵＳＣＨ）が割り当てられていない場合、ＭＡＣ層は、ＰＨＹ層にスケジューリングリクエスト（ＳＲ）を送信するように指示する。ＭＡＣ層は、無線リソースが割り当てられてから、ＢＳＲを送信する。ＰＨＹ層は、ＭＡＣ層からスケジューリングリクエストの送信を指示された場合、物理上りリンク制御チャネルＰＵＣＣＨを使用してスケジューリングリクエストを送信する。尚、ＭＡＣ層は、スケジューリングリクエスト送信のための物理上りリンク制御チャネルＰＵＣＣＨを割り当てられていない（有効でない）場合、ＰＨＹ層に対して物理ランダムアクセスチャネルＰＲＡＣＨを使用したスケジューリングリクエストを行うように指示する。
【００６８】
また、ＭＡＣ層は、移動局装置１−１の送信電力情報を通知する機能を持っている。この機能をパワーヘッドルームレポート（Power Headroom Report：ＰＨＲ）と言う。ＰＨＲがトリガされる条件として、いくつかの条件がある。例えば、下りリンク無線チャネル品質が前回測定したチャネル品質と比較し、一定値以上の変化があった場合にＰＨＲのトリガ条件が満たされる。また、１つの定期的なタイマーが満了した場合にＰＨＲのトリガ条件が満たされる。
【００６９】
３ＧＰＰでは、ＥＵＴＲＡの更なる進化のＡｄｖａｎｃｅｄ−ＥＵＴＲＡの議論も行われている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことを想定している。
【００７０】
Ａｄｖａｎｃｅｄ−ＥＵＴＲＡでは、ＥＵＴＲＡの移動局装置も収容できるようにＥＵＴＲＡの２０ＭＨｚ以下の帯域を複数個束ねることで、最大で１００ＭＨｚ帯域を実現することを考えている。尚、Ａｄｖａｎｃｅｄ−ＥＵＴＲＡでは、ＥＵＴＲＡの１つの２０ＭＨｚ以下の帯域をコンポーネントキャリア（Component Carrier : CC）と呼んでいる。また、１つの下りリンクのコンポーネントキャリアと１つの上りリンクのコンポーネントキャリアを組み合わせて１つのセルを構成する。尚、１つの下りリンクコンポーネントキャリアのみでも１つのセルを構成できる。
【００７１】
基地局装置は、移動局装置の通信能力や通信条件にあった複数のセルを割り当て、割り当てた複数のセルを介して移動局装置と通信を行なうようにしている。尚、移動局装置に割り当てられた複数のセルは、１つのセルを第一セル（Primary Cell：ＰＣｅｌｌ）とそれ以外のセルを第二セル（Secondary Cell：ＳＣｅｌｌ）とに分類される。第一セルには、物理上りリンク制御チャネルＰＵＣＣＨの割り当てなど特別な機能が設定されている。
【００７２】
また、移動局装置の消費電力を少なくするために、割り当て直後の第二セルに対し、移動局装置は下りリンクの受信処理を行わず（または、物理下りリンク制御チャネルＰＤＣＣＨで指示された無線リソース割り当て情報に従わない）、基地局装置からアクティベート（Activate、またはアクティベーション（activation））を指示された後、アクティベートを指示された第二セルに対して下りリンクの受信処理を開始する（または、物理下りリンク制御チャネルＰＤＣＣＨで指示された無線リソース割り当て情報に従う）ようにしている。
【００７３】
また、移動局装置は、基地局装置からアクティベートしている第二セルに対してデアクティベート（deactivate、またはデアクティベーション（deactivation））を指示された後、デアクティベートを指示された第二セルに対して下りリンクの受信処理を停止する（または、物理下りリンク制御チャネルＰＤＣＣＨで指示された無線リソース割り当て情報に従わない）ようにしている。尚、基地局装置からアクティベートを指示され、下りリンクの受信処理を行っている第二セルをアクティベートセルと言い、また、基地局装置から移動局装置への割り当て直後の第二セル、及びデアクティベートを指示されて下りリンクの受信処理を停止している第二セルをデアクティベートセルと言う。また、第一セルは、常にアクティベートセルである。
【００７４】
尚、移動局装置のＭＡＣ層は、キャリアアグリゲーションを行う場合、セルのアクティベーション／デアクティベーションを行うためにＰＨＹ層の制御を行う機能及び上りリンクの送信タイミングを管理するためにＰＨＹ層の制御を行う機能を備えている。
【００７５】
また、図１１のように移動局装置が、２つの基地局装置とデュアルコネクト（Dual Connect）して同時に両基地局装置と接続を行うことも検討している。デュアルコネクトとは、マクロセルの基地局装置とスモールセルの基地局装置との間が光ファイバーのような無遅延とみなせる高速なバックボーン回線（ｂａｃｋｈａｕｌとも称する）ではなく、遅延のある低速なバックボーン回線を用いて接続されているときに、移動局装置がマクロセルの基地局装置とスモールセルの基地局装置と接続して、移動局装置と両基地局装置が複数セルを介してデータの送受信を行うことを仮定している（非特許文献２）。
【００７６】
キャリアアグリゲーションと同様に、デュアルコネクトでは、マクロセルを第一セル（ＰＣｅｌｌ）、スモールセルを第二セル（ＳＣｅｌｌ）として、移動局装置と基地局装置間で通信が行われることが望ましいが、基地局装置のセルの種別(マクロセル、スモールセル)とは無関係に設定されてもよい。また、デュアルコネクトでは、マクロセルの基地局装置と移動局装置間で制御データ（制御情報）の送受信を行い、スモールセルの基地局装置と移動局装置間でユーザーデータ（ユーザー情報）の送受信を行うことを想定している。
【００７７】
さらに、制御データおよびユーザーデータという分類以外に、データの種類（例えば、ＱｏＳまたは論理チャネル等）に基づいて、データ送受信する基地局装置を変更することも考えられている。例えば、同じデータ無線ベアラのデータをマクロセルの基地局装置とスモールセルの基地局装置の異なる基地局装置から移動局装置に送信し、また、同じデータ無線ベアラのデータを移動局装置からマクロセルの基地局装置とスモールセルの基地局装置の異なる基地局装置に送信することが考えられている。
【００７８】
図１２に示すようなデュアルコネクト接続では、マクロセルの基地局装置３−１とＭＭＥ（Mobility Management Entity）間では、少なくとも移動局装置１−１の制御情報（Control-plane information）の送受信が行われる。スモールセルの基地局装置３−２とＧＷ（Gateway）間は、少なくとも移動局装置１−１のユーザー情報（User-plane information）の送受信が行われる。マクロセルの基地局装置３−１とスモールセルの基地局装置３−２の間では、移動局装置１−１を制御するための制御情報の送受信が行われる。
【００７９】
マクロセルの基地局装置３−１と移動局装置１−１間では、少なくとも制御情報の送受信が行われる。スモールセルの基地局装置３−２と移動局装置１−１間では、ユーザー情報の送受信が行われる。尚、マクロセルの基地局装置３−１と移動局装置１−１間では、ユーザー情報の送受信を行う場合もある。
【００８０】
また、図１３に示すようなデュアルコネクト接続では、マクロセルの基地局装置３−１とＭＭＥ（Mobility Management Entity）間では、少なくとも移動局装置１−１の制御情報（Control-plane information）の送受信が行われる。マクロセルの基地局装置３−１とＧＷ（Gateway））間では、少なくとも移動局装置１−１のユーザー情報（User-plane information）の送受信が行われる。
【００８１】
マクロセルの基地局装置３−１は、スモールセルの基地局装置３−２にＧＷから受信したユーザー情報を転送する。また、スモールセルの基地局装置３−２は、移動局装置１−１から受信したユーザー情報を基地局装置３−１に転送する。また、マクロセルの基地局装置３−１とスモールセルの基地局装置３−２の間では、移動局装置１−１を制御するための制御情報の送受信が行われる。
【００８２】
マクロセルの基地局装置３−１と移動局装置１−１間では、制御情報またはユーザー情報の送受信が行われる。スモールセルの基地局装置３−２と移動局装置１−１間では、ユーザー情報の送受信が行われる。尚、図１３の構成でのデュアルコネクトの場合、同じ無線ベアラ（Radio Bearer:ＲＢ）の情報をマクロセルとスモールセルの両セルを介して移動局装置と両基地局装置が送受信するベアラ分割(Bearer Split)が行われる。
【００８３】
尚、基地局装置３−１が提供するマクロセルを含むセルグループをマスターセルグループ（Master Cell Group：ＭＣＧ）と言い、基地局装置３−２が提供する1つ以上のスモールセルから構成されるセルグループをセカンダリーセルグループ（Secondary Cell Group：ＳＣＧ）と言う。
【００８４】
尚、各基地局装置の配置関係により移動局装置での下りリンクコンポーネントキャリア毎の受信タイミングと、上りリンクコンポーネントキャリア毎の基地局装置への送信タイミングの両方または一方がセル毎に異なる場合、上りリンクの送信タイミングが同じとなるセルをグループ化して通信を行う。この送信タイミングが同じとなるセルのグループを送信タイミンググループ(Timing Advance Group)という。移動局装置のＭＡＣ層は、送信タイミンググループを管理するためにＰＨＹ層の制御を行う機能も備えている。
【００８５】
（実施形態）
[構成説明]
図１は、本発明の実施形態に係る移動局装置の構成を示す図である。移動局装置１−１〜１−３は、上りリンクデータ処理部１０１、上りリンク制御部１０３−１、上りリンク制御部１０３−２、送信データ記憶部１０５−１、送信データ記憶部１０５−２、送信ＨＡＲＱ処理部１０７−１、送信ＨＡＲＱ処理部１０７−２、送信処理部１０９−１、送信処理部１０９−２、無線部１１１−１、無線部１１１−２、受信処理部１１３−１、受信処理部１１３−２、受信ＨＡＲＱ処理部１１５−１、受信ＨＡＲＱ処理部１１５−２、ＭＡＣ情報抽出部１１７−１、ＭＡＣ情報抽出部１１７−２、下りリンク制御部１１９−１、下りリンク制御部１１９−２、下りリンクデータ処理部１２１−１、下りリンクデータ処理部１２１−２、ＰＨＹ制御部１２３−１、ＰＨＹ制御部１２３−２、ＭＡＣ制御部１２５−１、ＭＡＣ制御部１２５−２および、ＲＲＣ制御部１２７から構成される。
【００８６】
尚、上りリンク制御部１０３−１、送信データ記憶部１０５−１、送信ＨＡＲＱ処理部１０７−１、送信処理部１０９−１、無線部１１１−１、ＰＨＹ制御部１２３−１およびＭＡＣ制御部１２５−１は基地局装置３−１（マクロセル）に対する送信動作を行い、上りリンク制御部１０３−２、送信データ記憶部１０５−２、送信ＨＡＲＱ処理部１０７−２、送信処理部１０９−２、無線部１１１−２、ＰＨＹ制御部１２３−２およびＭＡＣ制御部１２５−２は基地局装置３−２（スモールセル）に対する送信動作を行う。
【００８７】
下りリンク制御部１１９−１、ＭＡＣ情報抽出部１１７−１、受信ＨＡＲＱ処理部１１５−１、受信処理部１１３−１、無線部１１１−１、ＰＨＹ制御部１２３−１およびＭＡＣ制御部１２５−１は基地局装置３−１に対する受信動作を行い、下りリンク制御部１１９−２、ＭＡＣ情報抽出部１１７−２、受信ＨＡＲＱ処理部１１５−２、受信処理部１１３−２、無線部１１１−２、ＰＨＹ制御部１２３−２およびＭＡＣ制御部１２５−２は基地局装置３−２に対する受信動作を行う。
【００８８】
上位層からのユーザーデータおよびＲＲＣ制御部１２７からの制御データは、上りリンクデータ処理部１０１に入力される。上りリンクデータ処理部１０１は、ＰＤＣＰ層の機能を持つ。上りリンクデータ処理部１０１は、ユーザーデータのＩＰパケットのヘッダ圧縮やデータの暗号化、データの分割及び結合等の処理を行い、データサイズを調節する。上りリンクデータ処理部１０１は、処理を行ったデータを上りリンク制御部１０３−１、または、上りリンク制御部１０３−２に出力する。上りリンクデータ処理部１０１は、ＲＲＣ制御部１２７からデータ破棄を指示された場合、処理中のデータを破棄する。
【００８９】
尚、上りリンクデータ処理部１０１は、基地局装置３−１からの指示によりデータを上りリンク制御部１０３−１または上りリンク制御部１０３−２に出力するようにしても良い。また、上りリンクデータ処理部１０１は、送信データ記憶部１０５−１および送信データ記憶部１０５−２に蓄積されているデータ量、または、無線チャネルの品質状態などを考慮して上りリンク制御部１０３−１または上りリンク制御部１０３−２に出力するようにしても良い。
【００９０】
上りリンク制御部１０３−１は、ＲＬＣ層の機能を持つ。上りリンク制御部１０３−１は、上りリンクデータ処理部１０１から入力されたデータに対してデータの分割及び結合等の処理を行い、データサイズを調節する。また、上りリンク制御部１０３−１は、特定のデータに対して再送制御を行う。上りリンク制御部１０３−１は、処理を行ったデータを送信データ記憶部１０５−１に出力する。
【００９１】
上りリンク制御部１０３−１は、再送制御を行うデータの再送回数をカウントする。再送回数がＲＲＣ制御部１２７から取得したＲＬＣ最大送信回数に達した場合、上りリンク制御部１０３−１は、ＲＬＣ失敗をＲＲＣ制御部１２７に通知する。
【００９２】
上りリンク制御部１０３−１は、ＲＲＣ制御部１２７からＲＬＣ再確立の指示があった場合、上りリンク制御部１０３−１で処理が完了していないデータの破棄、タイマーの停止またはリセット、各種パラメータの初期化またはリセットを行う。尚、上りリンク制御部１０３−２は、上りリンク制御部１０３−１と同様の処理を行い、処理したデータを送信データ記憶部１０５−２に出力する。
【００９３】
送信データ記憶部１０５−１は、上りリンク制御部１０３−１から入力された各論理チャネルのデータを蓄積（バッファリング）し、ＭＡＣ制御部１２５−１からの指示に基づいて指示されたデータを指示されたデータ量分だけ送信ＨＡＲＱ処理部１０７−１に出力する。また、送信データ記憶部１０５−１は、ＭＡＣ制御部１２５−１からの指示に基づいて蓄積されたデータのデータ量の情報をＭＡＣ制御部１２５−１に出力する。
【００９４】
送信データ記憶部１０５−１は、論理チャネルのデータが無い状態で、上りリンク制御部１０３−１から新たに論理チャネルのデータが入力された場合、ＭＡＣ制御部１２５−１に新しいデータが発生したことを通知する。また、送信データ記憶部１０５−１は、蓄積されている論理チャネルのデータより優先度の高い論理チャネルのデータが上りリンク制御部１０３−１から入力された場合、ＭＡＣ制御部１２５−１に優先度の高いデータが発生したことを通知する。送信データ記憶部１０５−２は、送信データ記憶部１０５−１と同様の処理を行い、上りリンク制御部１０３−２から入力されたデータを処理する。
【００９５】
送信ＨＡＲＱ処理部１０７−１は、送信データ記憶部１０５−１からの入力データに符号化を行い、符号化したデータにパンクチャ処理を行う。そして、送信ＨＡＲＱ処理部１０７−１は、パンクチャしたデータを送信処理部１０９−１に出力し、符号化したデータを保存する。送信ＨＡＲＱ処理部１０７−１は、ＭＡＣ制御部１２５−１からデータの再送を指示された場合、保存してある符号化したデータから前回に行なったパンクチャと異なるパンクチャ処理を行い、パンクチャしたデータを送信処理部１０９−１に出力する。
【００９６】
送信ＨＡＲＱ処理部１０７−２は、送信ＨＡＲＱ処理部１０７−１と同様の処理を行い、送信データ記憶部１０５−２から入力されたデータを処理し、送信処理部１０９−２に出力する。
【００９７】
送信処理部１０９−１は、送信ＨＡＲＱ処理部１０７−１から入力されたデータに変調・符号化を行なう。送信処理部１０９−１は、変調・符号化されたデータをＤＦＴ（Discrete Fourier Transform（離散フーリエ変換））−ＩＦＦＴ（Inverse Fast Fourier Transform（逆高速フーリエ変換））処理し、処理後、ＣＰ（Cyclic prefix）を挿入し、ＣＰ挿入後のデータを上りリンクの各コンポーネントキャリア（またはセル）の物理上りリンク共用チャネルＰＵＳＣＨに配置し、無線部１１１−１に出力する。
【００９８】
また、送信処理部１０９−１は、ＰＨＹ制御部１２３−１から受信データの応答指示があった場合、ＡＣＫまたはＮＡＣＫ信号を生成し、生成した信号を上りリンクの各コンポーネントキャリアの物理上りリンク制御チャネルＰＵＣＣＨに配置し、無線部１１１−１に出力する。送信処理部１０９−１は、ＰＨＹ制御部１２３−１からスケジューリングリクエストの送信指示があった場合、スケジューリングリクエスト信号を生成し、生成した信号を上りリンクの各コンポーネントキャリアの物理上りリンク制御チャネルＰＵＣＣＨに配置し、無線部１１１−１に出力する。
【００９９】
送信処理部１０９−１は、ＰＨＹ制御部１２３−１からランダムアクセスプリアンブルの送信指示があった場合、ランダムアクセスプリアンブルを生成し、生成した信号を物理ランダムアクセスチャネルＰＲＡＣＨに配置し、無線部１１１−１に出力する。送信処理部１０９−２は、送信処理部１０９−１と同様の処理を行い、送信ＨＡＲＱ処理部１０７−２から入力されたデータを処理し、処理したデータを無線部１１１−２に出力する。
【０１００】
無線部１１１−１は、送信処理部１０９−１から入力されたデータをＰＨＹ制御部１２３−１から指示された送信位置情報（送信セル情報）の無線周波数にアップコンバートし、送信電力を調整して送信アンテナからデータを送信する。また、無線部１１１−１は、受信アンテナより受信した無線信号をダウンコンバートし、受信処理部１１３−１に出力する。
【０１０１】
同様に無線部１１１−２は、送信処理部１０９−２から入力されたデータをＰＨＹ制御部１２３−２から指示された送信位置情報（送信セル情報）の無線周波数にアップコンバートし、送信電力を調整して送信アンテナからデータを送信する。また、無線部１１１−２は、受信アンテナより受信した無線信号をダウンコンバートし、受信処理部１１３−２に出力する。尚、無線部１１１−１および無線部１１１−２で制御される周波数は、同じ周波数帯域であっても良いし、異なる周波数帯域であっても良い。
【０１０２】
受信処理部１１３−１は、無線部１１１−１から入力された信号をＦＦＴ（Fast Fourier Transform（高速フーリエ変換））処理、復号化、復調処理等を行なう。受信処理部１１３−１は、復調したデータの中で物理下りリンク共用チャネルＰＤＳＣＨのデータを受信ＨＡＲＱ処理部１１５−１に出力する。また、受信処理部１１３−１は、復調したデータの中で物理下りリンク制御チャネルＰＤＣＣＨから取得した制御データの上りリンク送信データの応答情報（ＡＣＫ／ＮＡＣＫ）および上りリンク送信許可情報（Uplink grant:上りリンクグラント）をＭＡＣ制御部１２５−１に出力する。受信処理部１１３−１は、下りリンク参照信号を測定し、無線チャネル品質を算出し、算出した結果をＭＡＣ制御部１２５−１に出力する。
【０１０３】
尚、上りリンク送信許可情報は、上りリンク無線リソース（物理上りリンク共用チャネルＰＵＳＣＨ）の送信位置情報、データの変調・符号化方式、データサイズ情報、ＨＡＲＱ情報などがある。また、受信処理部１１３−１は、下りリンク参照信号を測定して、基地局装置３−１および移動局装置１−１間の下りリンク無線チャネル品質を測定する。受信処理部１１３−２は、受信処理部１１３−１と同様の処理を行い、無線部１１１−２から入力されたデータを処理し、処理したデータを受信ＨＡＲＱ処理部１１５−２に出力する。
【０１０４】
受信ＨＡＲＱ処理部１１５−１は、受信処理部１１３−１からの入力データの復号処理を行い、復号処理に成功した場合、データをＭＡＣ情報抽出部１１７−１に出力する。受信ＨＡＲＱ処理部１１５−１は、入力データの復号処理に失敗した場合、復号処理に失敗したデータを保存する。受信ＨＡＲＱ処理部１１５−１は、再送データを受信した場合、保存してあるデータと再送データを合成し、復号処理を行う。
【０１０５】
また、受信ＨＡＲＱ処理部１１５−１は、入力データの復号処理の成否をＭＡＣ制御部１２５−１に通知する。受信ＨＡＲＱ処理部１１５−２は、受信ＨＡＲＱ処理部１１５−１と同様に処理を行い、受信処理部１１３−２から入力されたデータを処理し、処理したデータをＭＡＣ情報抽出部１１７−２に出力する。
【０１０６】
ＭＡＣ情報抽出部１１７−１は、受信ＨＡＲＱ処理部１１５−１から入力されたデータからＭＡＣ層（Medium Access Control layer）の制御データを抽出し、抽出した制御情報をＭＡＣ制御部１２５−１に出力する。ＭＡＣ情報抽出部１１７−１は、残りのデータを下りリンク制御部１１９−１に出力する。ＭＡＣ情報抽出部１１７−２は、ＭＡＣ情報抽出部１１７−１と同様の処理を行い、受信ＨＡＲＱ処理部１１５−２から入力されたデータを処理し、処理したデータを下りリンク制御部１１９−２に出力する。
【０１０７】
下りリンク制御部１１９−１は、ＲＬＣ層の機能を持ち、ＭＡＣ情報抽出部１１７−１かから入力されたデータの分割及び結合等の処理を行う。下りリンク制御部１１９−１は、処理したデータを下りリンクデータ処理部１２１に出力する。下りリンク制御部１１９−２は、下りリンク制御部１１９−１と同様の処理を行い、ＭＡＣ情報抽出部１１７−１かから入力されたデータを処理し、処理したデータを下りリンクデータ処理部１２１に出力する。
【０１０８】
下りリンクデータ処理部１２１は、ＰＤＣＰ層の機能を持ち、圧縮されたＩＰヘッダの伸張（復元）機能や暗号化されたデータの復号機能、データの分割及び結合等の処理を行う。下りリンクデータ処理部１２１は、ＲＲＣメッセージとユーザーデータに分け、ＲＲＣメッセージをＲＲＣ制御部１２７に出力し、ユーザーデータを上位層に出力する。
【０１０９】
ＰＨＹ制御部１２３−１は、ＭＡＣ制御部１２５−１からの指示により送信処理部１０９−１、無線部１１１−１および受信処理部１１３−１を制御する。ＰＨＹ制御部１２３−１は、ＭＡＣ制御部１２５−１から通知された変調・符号化方式、送信電力情報および送信位置情報（送信セル情報）から変調・符号化方式および送信位置を送信処理部１０９−１に通知し、送信セルの周波数情報および送信電力情報を無線部１１１−１に通知する。
【０１１０】
同様に、ＰＨＹ制御部１２３−２は、ＭＡＣ制御部１２５−２からの指示により送信処理部１０９−２、無線部１１１−２および受信処理部１１３−２を制御する。ＰＨＹ制御部１２３−２は、ＭＡＣ制御部１２５−２から通知された変調・符号化方式、送信電力情報および送信位置情報（送信セル情報）から変調・符号化方式および送信位置を送信処理部１０９−２に通知し、送信セルの周波数情報および送信電力情報を無線部１１１−２に通知する。
【０１１１】
ＭＡＣ制御部１２５−１は、ＲＲＣ制御部１２７から指定されたデータ制御設定および送信データ記憶部１０５−１から取得したデータ量情報および受信処理部１１３−１から取得した上りリンク送信許可情報をもとにデータ送信先およびデータ送信優先順位を決定し、送信するデータに関する情報を送信データ記憶部１０５−１に通知する。また、ＭＡＣ制御部１２５−１は、送信ＨＡＲＱ処理部１０７−１にＨＡＲＱ情報を通知し、ＰＨＹ制御部１２３−１に変調・符号化方式および送信位置情報を出力する。
【０１１２】
ＭＡＣ制御部１２５−１は、送信データ記憶部１０５−１からデータの蓄積状態の変化を通知されるとバッファステータスレポートをトリガする。ＭＡＣ制御部１２５−１は、バッファステータスレポートがトリガされた状態で、受信処理部１１３−１から上りリンク送信許可情報を取得した場合、送信データ記憶部１０５−１に各論理チャネルのデータの蓄積量を報告するように指示する。
【０１１３】
ＭＡＣ制御部１２５−１は、送信データ記憶部１０５−１から各論理チャネルのデータの蓄積量の情報を取得すると、バッファステータスレポートを作成し、作成したバッファステータスレポートを送信データ記憶部１０５−１に出力する。
【０１１４】
ＭＡＣ制御部１２５−１は、バッファステータスレポートがトリガされた状態で、上りリンク送信許可情報を取得していない場合、スケジューリングリクエストの送信を決定し、ＰＨＹ制御部１２３−１にスケジューリングリクエスト送信を指示する。ＭＡＣ制御部１２５−１は、スケジューリングリクエストに対応する上りリンク送信許可情報を取得した場合、バッファステータスレポートを作成し、作成したバッファステータスレポートを送信データ記憶部１０５−１に出力する。
【０１１５】
ＭＡＣ制御部１２５−１は、スケジューリングリクエストの送信回数をカウントして、スケジューリングリクエストの送信回数が最大送信回数に達しても上りリンク送信許可情報を取得しない場合、ランダムアクセスプリアンブル送信をＰＨＹ制御部１２３−１に指示する。また、ＭＡＣ制御部１２５−１は、ＲＲＣ制御部１２７に自移動局装置に割り当てられている上りリンク無線リソースの解放を通知する。
【０１１６】
ＭＡＣ制御部１２５−１は、ＲＲＣ制御部１２７または受信処理部１１３−１からプリアンブル番号およびランダムアクセスチャネル番号を通知された場合、ランダムアクセス手順を開始し、ランダムアクセスプリアンブル送信をＰＨＹ制御部１２３−１に指示する。また、ＭＡＣ制御部１２５−１は、ランダムアクセスレスポンス識別情報をＰＨＹ制御部１２３−１に通知して、ランダムアクセスレスポンス識別情報のモニタリングを指示する。
【０１１７】
ＭＡＣ制御部１２５−１は、ランダムアクセスレスポンスメッセージを取得すると、ランダムアクセスレスポンスメッセージに含まれる送信タイミング情報をＰＨＹ制御部１２３−１へ出力する。ＭＡＣ制御部１２５−１は、ランダムアクセスレスポンスメッセージを取得しない場合、再度、ランダムアクセスプリアンブル送信をＰＨＹ制御部１２３−１に指示する。ＭＡＣ制御部１２５−１は、ランダムアクセスプリアンブル送信の送信回数が最大送信回数に達した場合、ＲＲＣ制御部１２７にランダムアクセス失敗（または、ランダムアクセス問題）を通知する。
【０１１８】
ＭＡＣ制御部１２５−１は、受信処理部１１３−１から上りリンク送信データに対する応答情報を取得し、応答情報がＮＡＣＫ（否応答）を示していた場合、送信ＨＡＲＱ処理部１０７−１とＰＨＹ制御部１２３−１に再送を指示する。ＭＡＣ制御部１２５−１は、受信ＨＡＲＱ処理部１１５−１からデータの復号処理の成否情報を取得した場合、ＰＨＹ制御部１２３−１にＡＣＫまたはＮＡＣＫ信号を送信するように指示する。
【０１１９】
また、ＭＡＣ制御部１２５−１は、ＭＡＣ情報抽出部１１７−１から入力されたＭＡＣ制御情報の中でセル（または、コンポーネントキャリア）のアクティベーション／デアクティベーション指示情報及び間欠受信（ＤＲＸ）制御情報を取得した場合、アクティベーション／デアクティベーション制御及びＤＲＸ制御のために、無線部１１１−１、送信処理部１０９−１および受信処理部１１３−１の制御を行うようＰＨＹ制御部１２３−１に指示する。
【０１２０】
ＭＡＣ制御部１２５−１は、送信タイミングタイマーを用いて上りリンクの送信タイミングの有効・無効を管理する。ＭＡＣ制御部１２５−１は、セル毎または送信タイミンググループ毎に送信タイミングタイマーを持ち、セル毎または送信タイミンググループ毎に送信タイミング情報を適用した場合に対応する送信タイミングタイマーをスタートまたはリスタートさせる。ＭＡＣ制御部１２５−１は、送信タイミングタイマーが満了した場合、送信タイミングタイマーが満了したセルに対する上りリンク送信を停止する。
【０１２１】
ＭＡＣ制御部１２５−１は、ＭＡＣ情報抽出部１１７−１から入力されたＭＡＣ制御情報の中で送信タイミング情報をＰＨＹ制御部１２３−１へ出力する。ＭＡＣ制御部１２５−１は、上りリンク送信タイミングを管理し、ＰＨＹ制御部１２３−１を制御する。
【０１２２】
ＭＡＣ制御部１２５−１は、受信処理部１１３−１から取得した受信品質に変化があった、または、パワーヘッドルームレポート関連のタイマーが満了した場合、パワーヘッドルームレポートをトリガする。ＭＡＣ制御部１２５−１は、パワーヘッドルームレポートをトリガされた状態で上りリンク送信許可情報がある場合、パワーヘッドルームレポートを作成し、作成したパワーヘッドルームレポートを送信データ記憶部１０５−１に出力する。
【０１２３】
ＭＡＣ制御部１２５−１は、ＲＲＣ制御部１２７からＭＡＣリセットの指示があった場合、動作しているタイマー（例えば、バッファステータスレポート関連タイマー、パワーヘッドルームレポート関連タイマー、送信タイミングタイマー）を停止またはリセットし、各種トリガ（例えば、バッファステータスレポート関連トリガ、パワーヘッドルームレポート関連トリガ）をキャンセルする。また、ＭＡＣ制御部１２５−１は、送信ＨＡＲＱ処理部１０７−１およびで受信ＨＡＲＱ処理部１１５−１に保存しているデータを消去する。また、ＭＡＣ制御部１２５−１は、通知されたプリアンブル番号およびランダムアクセスチャネル番号の削除、実行中のランダムアクセス手順の中止などを行う。
【０１２４】
ＭＡＣ制御部１２５−２は、ＭＡＣ制御部１２５−１と同様の処理を行い、送信データ記憶部１０５−２、送信ＨＡＲＱ処理部１０７−２、受信ＨＡＲＱ処理部１１５−２、ＭＡＣ情報抽出部１１７−２およびＰＨＹ制御部１２３−２を制御する。
【０１２５】
ＲＲＣ制御部１２７は、セル（基地局装置）選択、基地局装置３−１とのＲＲＣ接続及び接続解放処理、キャリアアグリゲーション設定、デュアルコネクト設定、制御データおよびユーザーデータのデータ制御設定など基地局装置３−１及び基地局装置３−２と通信を行うための各種設定を行う。ＲＲＣ制御部１２７は、各種設定に伴う上位層との情報のやり取りを行い、各種設定に伴う下位層の制御を行う。ＲＲＣ制御部１２７は、基地局装置３−１から割り当てられた各セルの無線リソースを管理する。
【０１２６】
ＲＲＣ制御部１２７は、ＲＲＣメッセージを作成し、作成したＲＲＣメッセージを上りリンクデータ処理部１０１に出力する。ＲＲＣ制御部１２７は、下りリンクデータ処理部１２１から入力されたＲＲＣメッセージを解析する。
【０１２７】
ＲＲＣ制御部１２７は、ＰＤＣＰ層に必要な情報を上りリンクデータ処理部１０１および下りリンクデータ処理部１２１に出力し、ＲＬＣ層に必要な情報を上りリンク制御部１０３−１、上りリンク制御部１０３−２、下りリンク制御部１１９−１および下りリンク制御部１１９−２に出力する。また、ＲＲＣ制御部１２７は、ＭＡＣ層に必要な情報をＭＡＣ制御部１２５−１またはＭＡＣ制御部１２５−２に出力し、物理層に必要な情報をＰＨＹ制御部１２３−１またはＰＨＹ制御部１２３−２に出力する。
【０１２８】
ＲＲＣ制御部１２７は、各データの論理チャネル、各データの論理チャネルの優先度、各制御データの論理チャネルと論理チャネルグループの関係を示した情報、基地局装置（またはセル、セルグループ）と論理チャネルとの関係情報等のデータ制御設定情報を取得した場合、ＭＡＣ制御部１２５にデータ送信制御設定情報を出力する。また、ＲＲＣ制御部１２７は、基地局装置３−１と基地局装置３−２とのデュアルコネクトでの通信を行うと認識した場合、デュアルコネクト状態であることをＭＡＣ制御部１２５に通知する。
【０１２９】
ＲＲＣ制御部１２７は、上りリンク制御部１０３−１からＲＬＣ失敗を通知された場合、基地局装置３−１との接続を切断し、セル選択を行い、選択したセルの基地局装置との接続処理を開始する。
【０１３０】
ＲＲＣ制御部１２７は、上りリンク制御部１０３−２からＲＬＣ失敗を通知された場合、上りリンクデータ処理部に基地局装置３−２に対するデータ破棄を指示する。ＲＲＣ制御部１２７は、上りリンク制御部１０３−２に上りリンク制御部１０３−２のＲＬＣ再確立を指示する。ＲＲＣ制御部１２７は、ＭＡＣ制御部１２５−２にＭＡＣリセットを指示する。
【０１３１】
また、ＲＲＣ制御部１２７は、基地局装置３−２のセルに割り当てられている物理上りリンク制御チャネルＰＵＣＣＨ、上りリンク参照信号等の上りリンク無線リソースを保有している場合、対象となる上りリンク無線リソースを解放する。ＲＲＣ制御部１２７は、対象となるセルのランダムアクセス手順を実行するための情報（物理ランダムアクセス設定情報、ランダムアクセス手順設定情報）を削除（または、解放）する。
【０１３２】
ＲＲＣ制御部１２７は、ＭＡＣ制御部１２５−１からランダムアクセス失敗を通知された場合、基地局装置３−１との接続を切断し、セル選択を行い、選択したセルの基地局装置との接続処理を開始する。
【０１３３】
ＲＲＣ制御部１２７は、ＭＡＣ制御部１２５−２からランダムアクセス失敗を通知された場合、上りリンクデータ処理部に基地局装置３−２に対するデータ破棄を指示する。ＲＲＣ制御部１２７は、上りリンク制御部１０３−２に上りリンク制御部１０３−２のＲＬＣ再確立を指示する。ＲＲＣ制御部１２７は、ＭＡＣ制御部１２５−２にＭＡＣ制御部１２５−２のＭＡＣリセットを指示する。
【０１３４】
また、ＲＲＣ制御部１２７は、基地局装置３−２のセルに割り当てられている物理上りリンク制御チャネルＰＵＣＣＨ、上りリンク参照信号等の上りリンク無線リソースを保有している場合、対象となる上りリンク無線リソースを解放する。ＲＲＣ制御部１２７は、対象となるセルのランダムアクセス手順を実行するための情報（物理ランダムアクセス設定情報、ランダムアクセス手順設定情報）を削除する。
【０１３５】
ＲＲＣ制御部１２７は、ＭＡＣ制御部１２５−１またはＭＡＣ制御部１２５−２から上りリンク無線リソースの解放を通知された場合、対象となるセルに割り当てられている物理上りリンク制御チャネルＰＵＣＣＨ、上りリンク参照信号等の上りリンクの無線リソースを解放する。
【０１３６】
尚、送信処理部１０９−１、送信処理部１０９−２、無線部１１１−１、無線部１１１−２、受信処理部１１３−１、受信処理部１１３−２、ＰＨＹ制御部１２３−１およびＰＨＹ制御部１２３−２は、物理層の動作を行う。送信データ記憶部１０５−１、送信データ記憶部１０５−２、送信ＨＡＲＱ処理部１０７−１、送信ＨＡＲＱ処理部１０７−２、受信ＨＡＲＱ処理部１１５−１、受信ＨＡＲＱ処理部１１５−２、ＭＡＣ情報抽出部１１７−１、ＭＡＣ情報抽出部１１７−２、ＭＡＣ制御部１２５−１およびＭＡＣ制御部１２５−２は、ＭＡＣ層の動作を行う。
【０１３７】
上りリンク制御部１０３−１、上りリンク制御部１０３−２、下りリンク制御部１１９−１および下りリンク制御部１１９−２は、ＲＬＣ層の動作を行う。上りリンクデータ処理部１０１および下りリンクデータ処理部１２１は、ＰＤＣＰ層の動作を行い、ＲＲＣ制御部１２７はＲＲＣ層の動作を行う。
【０１３８】
図２は、本発明の実施形態に係る基地局装置の構成を示す図である。基地局装置３−１は、下りリンクデータ処理部２０１、下りリンク制御部２０３、送信データ記憶部２０５、送信ＨＡＲＱ処理部２０７、送信処理部２０９、無線部２１１、受信処理部２１３、受信ＨＡＲＱ処理部２１５、ＭＡＣ情報抽出部２１７、上りリンク制御部２１９、上りリンクデータ処理部２２１、ＰＨＹ制御部２２３、ＭＡＣ制御部２２５、ＲＲＣ制御部２２７、基地局装置間通信部２２９、ＭＭＥ通信部２３１、および、ＧＷ通信部２３３から構成される。
【０１３９】
ＧＷ通信部２３３からのユーザーデータおよびＲＲＣ制御２２７からの制御データは、下りリンクデータ処理部２０１に入力される。下りリンクデータ処理部２０１は、ＰＤＣＰ層の機能を持つ。下りリンクデータ処理部２０１は、ユーザーデータのＩＰパケットのヘッダ圧縮やデータの暗号化、データの分割及び結合等の処理を行い、データサイズを調節する。下りリンクデータ処理部２０１は、処理を行ったデータを下りリンク制御部２０３または基地局装置間通信部２２９に出力する。
【０１４０】
尚、下りリンクデータ処理部２０１は、下りリンク無線チャネル品質情報、移動局装置１−１に対する下りリンクデータのデータ量、基地局装置３−１または基地局装置３−２の全移動局装置に対する送信データ量（トラフィック量）の少なくとも１つを考慮して、データを下りリンク制御部２０３または基地局装置間通信部２２９に出力する。
【０１４１】
下りリンク制御部２０３は、ＲＬＣ層の機能を持つ。下りリンク制御部２０３は、下りリンクデータ処理部２０１から入力されたデータに対してデータの分割及び結合等の処理を行い、データサイズを調節する。また、下りリンク制御部２０３は、特定のデータに対して再送制御を行う。下りリンク制御部２０３は、処理を行ったデータを送信データ記憶部２０５に出力する。
【０１４２】
送信データ記憶部２０５は、下りリンク制御部２０３から入力されたデータをユーザー毎に蓄積し、ＭＡＣ制御部２２５からの指示に基づいて指示されたユーザーのデータを指示されたデータ量分だけ送信ＨＡＲＱ処理部２０７に出力する。また、送信データ記憶部２０５は、蓄積されたデータのデータ量の情報をＭＡＣ制御部２２５に出力する。
【０１４３】
送信ＨＡＲＱ処理部２０７は、入力データに符号化を行い、符号化したデータにパンクチャ処理を行う。そして、送信ＨＡＲＱ処理部２０７は、パンクチャしたデータを送信処理部２０９に出力し、符号化したデータを保存する。送信ＨＡＲＱ処理部２０７は、ＭＡＣ制御部２２５からデータの再送を指示された場合、保存してある符号化したデータから前回に行なったパンクチャと異なるパンクチャ処理を行い、パンクチャしたデータを送信処理部２０９に出力する。
【０１４４】
送信処理部２０９は、送信ＨＡＲＱ処理部２０７から入力されたデータに変調・符号化を行なう。送信処理部２０９は、変調・符号化されたデータを各セルの物理下りリンク制御チャネルＰＤＣＣＨ、下りリンク同期信号、物理報知チャネルＰＢＣＨ、物理下りリンク共用チャネルＰＤＳＣＨなどの信号及び各チャネルにマッピングし、マッピングしたデータを直列／並列変換、ＩＦＦＴ（Inverse Fast Fourier Transform（逆高速フーリエ変換））変換、ＣＰ挿入などのＯＦＤＭ信号処理を行い、ＯＦＤＭ信号を生成する。
【０１４５】
そして、送信処理部２０９は、生成したＯＦＤＭ信号を無線部２１１に出力する。また、送信処理部２０９は、ＭＡＣ制御部２２５から受信データの応答指示があった場合、ＡＣＫまたはＮＡＣＫ信号を生成し、生成した信号を物理下りリンク制御チャネルＰＤＣＣＨに配置し、無線部２１１に出力する。送信処理部２０９は、ＰＨＹ制御部２２３から通知された上りリンク送信許可情報を物理下りリンク制御チャネルＰＤＣＣＨに配置し、無線部２１１に出力する。
【０１４６】
無線部２１１は、送信処理部２０９から入力されたデータを無線周波数にアップコンバートし、送信電力を調整して送信アンテナからデータを送信する。また、無線部２１１は、受信アンテナより受信した無線信号をダウンコンバートし、受信処理部２１３に出力する。受信処理部２１３は、無線部２１１から入力された信号をＦＦＴ（Fast Fourier Transform（高速フーリエ変換））処理、復号化、復調処理等を行なう。
【０１４７】
受信処理部２１３は、復調したデータの中で物理上りリンク共用チャネル（ＰＵＳＣＨ）のデータを受信ＨＡＲＱ処理部２１５に出力する。また、受信処理部２１３は、復調したデータの中で物理上りリンク制御チャネルＰＵＣＣＨから取得した制御データの下りリンク送信データの応答情報（ＡＣＫ／ＮＡＣＫ）、下りリンク無線チャネル品質情報（ＣＱＩ）及び上りリンク送信要求情報（スケジューリングリクエスト）をＭＡＣ制御部２２５に出力する。また、受信処理部２１３は、上りリンク参照信号を測定して、基地局装置３−１および移動局装置１−１間の上りリンク無線チャネル品質を測定する。
【０１４８】
受信ＨＡＲＱ処理部２１５は、受信処理部２１３からの入力データの復号処理を行い、復号処理に成功した場合、データをＭＡＣ情報抽出部２１７に出力する。受信ＨＡＲＱ処理部２１５は、入力データの復号処理に失敗した場合、復号処理に失敗したデータを保存する。受信ＨＡＲＱ処理部２１５は、再送データを受信した場合、保存してあるデータと再送データを合成し、復号処理を行う。また、受信ＨＡＲＱ処理部２１５は、入力データの復号処理の成否をＭＡＣ制御部２２５に通知する。
【０１４９】
ＭＡＣ情報抽出部２１７は、受信ＨＡＲＱ処理部２１５から入力されたデータからＭＡＣ層の制御データを抽出し、抽出した制御データをＭＡＣ制御部２２５に出力する。ＭＡＣ情報抽出部２１７は、残りのデータを上りリンク制御部２１９に出力する。ＭＡＣ層の制御データには、バッファステータスレポートなどがある。
【０１５０】
上りリンク制御部２１９は、ＲＬＣ層の機能を持つ。上りリンク制御部２１９は、ＭＡＣ情報抽出部２１７から入力されたデータに対してデータの分割及び結合等の処理を行い、データサイズを調節する。また、上りリンク制御部２１９は、特定のデータに対して再送制御を行う。上りリンク制御部２１９は、処理を行ったデータを上りリンクデータ処理部２２１に出力する。
【０１５１】
上りリンクデータ処理部２２１は、ＰＤＣＰ層の機能を持つ。上りリンクデータ処理部２２１は、圧縮されたＩＰヘッダの伸張（復元）機能や暗号化されたデータの復号機能、データの分割及び結合等の処理を行う。上りリンクデータ処理部２２１は、ＲＲＣメッセージとユーザーデータに分け、ＲＲＣメッセージをＲＲＣ制御部２２７に出力し、ユーザーデータをＧＷ通信部２３３に出力する。
【０１５２】
ＰＨＹ制御部２２３は、ＭＡＣ制御部２２５からの指示により送信処理部２０９、無線部２１１、および、受信処理部２１３を制御する。ＰＨＹ制御部２２３は、ＭＡＣ制御部２２５から通知された上りリンクのスケジューリング結果から上りリンク送信許可情報を作成し、送信処理部２０９に通知する。
【０１５３】
ＭＡＣ制御部２２５は、ＭＡＣ層の機能を持つ。ＭＡＣ制御部２２５は、ＲＲＣ制御部２２７や下位層などから取得した情報に基づいてＭＡＣ層の制御を行う。ＭＡＣ制御部２２５は、下りリンクおよび上りリンクで送信されるデータのスケジューリング処理を行う。ＭＡＣ制御部２２５は、受信処理部２１３から入力された下りリンク送信データの応答情報（ＡＣＫ／ＮＡＣＫ）、下りリンク無線チャネル品質情報（ＣＱＩ）、及び、送信データ記憶部２０５から取得したユーザー毎のデータ量情報から下りリンクデータのスケジューリング処理を行う。ＭＡＣ制御部２２５は、スケジューリング処理の結果に基づいて、送信データ記憶部２０５、送信ＨＡＲＱ処理部２０７、送信処理部２０９を制御する。
【０１５４】
ＭＡＣ制御部２２５は、受信処理部２１３から入力された上りリンク送信要求情報（スケジューリングリクエスト）、ＭＡＣ情報抽出部２１７から入力されたバッファステータスレポート、パワーヘッドルームレポートから上りリンクデータのスケジューリング処理を行う。ＭＡＣ制御部２２５は、スケジューリング処理の結果をＰＨＹ制御部２２３に通知する。
【０１５５】
また、ＭＡＣ制御部２２５は、受信処理部２１３から上りリンク送信データに対する応答情報を取得し、応答情報がＮＡＣＫ（否応答）を示していた場合、送信ＨＡＲＱ処理部２０７と送信処理部２０９に再送を指示する。ＭＡＣ制御部２２５は、受信ＨＡＲＱ処理部２１５からデータの復号処理の成否情報を取得した場合、送信処理部２０９にＡＣＫまたはＮＡＣＫ信号を送信するように指示する。
【０１５６】
また、ＭＡＣ制御部２２５は、移動局装置１−１に割り当てたセル（または、コンポーネントキャリア）のアクティベーション／デアクティベーション処理を行う。ＭＡＣ制御部２２５は、送信タイミンググループ及び各送信タイミンググループの上りリンク送信タイミングの管理等を行う。
【０１５７】
ＲＲＣ制御部２２７は、移動局装置１−１とのＲＲＣ接続及び接続解放処理、ハンドオーバー処理、キャリアアグリゲーションの設定、デュアルコネクトの設定、デュアルコネクト時に移動局装置１−１の制御データおよびユーザーデータをどのセル（または、基地局装置）で送受信するかのデータ制御設定など移動局装置１−１と通信を行うための各種設定を行い、各種設定に伴う上位層との情報のやり取りを行い、各種設定に伴う下位層の制御を行う。
【０１５８】
ＲＲＣ制御部２２７は、各種ＲＲＣメッセージを作成し、作成したＲＲＣメッセージを下りリンクデータ処理部２０１に出力する。ＲＲＣ制御部２２７は、上りリンクデータ処理部２２１から入力されたＲＲＣメッセージを解析する。
【０１５９】
ＲＲＣ制御部２２７は、ＰＤＣＰ層に必要な情報を下りリンクデータ処理部２０１および上りリンクデータ処理部２２１に出力し、ＲＬＣ層に必要な情報を下りリンク制御部２０３、上りリンク制御部２１９に出力する。
【０１６０】
また、ＲＲＣ制御部２２７は、ＭＡＣ層に必要な情報をＭＡＣ制御部２２５に出力し、物理層に必要な情報をＰＨＹ制御部２２３に出力する。また、ＲＲＣ制御部２２７は、ハンドオーバー、または、デュアルコネクトを行う場合、基地局装置間通信部２２９およびＭＭＥ通信部２３１に必要な情報を通知する。
【０１６１】
基地局装置間通信部２２９は、他の基地局装置（基地局装置３−２）と接続し、ＲＲＣ制御部２２７から入力された基地局装置間の制御メッセージを基地局装置３−２に送信する。また、基地局装置間通信部２２９は、基地局装置３−２からの基地局装置間の制御メッセージを受信し、受信した制御メッセージをＲＲＣ制御部２２７に出力する。基地局装置間の制御メッセージには、ハンドオーバーに関係するメッセージ、デュアルコネクトの接続及び接続解放に関する制御メッセージ、移動局装置１−１のデータ制御に関するメッセージなどがある。
【０１６２】
また、基地局装置間通信部２２９は、デュアルコネクトしている移動局装置１−１の下りリンクユーザーデータを基地局装置３−２に送信する。基地局装置間通信部２２９は、デュアルコネクトしている移動局装置１−１の上りリンクユーザーデータを基地局装置３−２から受信し、受信したデータを上りリンクデータ処理部２２１に出力する。
【０１６３】
ＭＭＥ通信部２３１は、ＭＭＥ（Mobility Management Entity）と接続し、ＲＲＣ制御部２２７から入力された基地局装置−ＭＭＥ間の制御メッセージ（Ｓ１メッセージ）をＭＭＥに送信する。また、ＭＭＥ通信部２３１は、ＭＭＥからの基地局装置−ＭＭＥ間の制御メッセージを受信し、受信した制御メッセージをＲＲＣ制御部２２７に出力する。基地局装置−ＭＭＥ間の制御メッセージには、パススイッチ要求メッセージ、パススイッチ要求応答メッセージなどがある。
【０１６４】
ＧＷ間通信部２３３は、ＧＷ（Gateway）と接続し、ＧＷから送られる移動局装置１−１のユーザーデータを受信し、受信したデータを下りリンクデータ処理部２０１に出力する。また、ＧＷ間通信部２３３は、上りリンクデータ処理部２２１から入力された移動局装置１−１のユーザーデータをＧＷに送信する。
【０１６５】
尚、送信処理部２０９、無線部２１１、受信処理部２１３およびＰＨＹ制御部２２３は、ＰＨＹ層の動作を行う。送信データ記憶部２０５、送信ＨＡＲＱ処理部２０７、受信ＨＡＲＱ処理部２１５、ＭＡＣ情報抽出部２１７およびＭＡＣ制御部２２５は、ＭＡＣ層の動作を行う。下りリンク制御部２０３及び上りリンク制御部２１９は、ＲＬＣ層の動作を行う。下りリンクデータ処理部２０１および上りリンクデータ処理部２２１は、ＰＤＣＰ層の動作を行う。ＲＲＣ制御部２２７はＲＲＣ層の動作を行う。
【０１６６】
図３は、本発明の実施形態に係る基地局装置の構成を示す図である。基地局装置３−２は、下りリンク制御部３０１、送信データ記憶部３０３、送信ＨＡＲＱ処理部３０５、送信処理部３０７、無線部３０９、受信処理部３１１、受信ＨＡＲＱ処理部３１３、ＭＡＣ情報抽出部３１５、上りリンク制御部３１７、ＰＨＹ制御部３１９、ＭＡＣ制御部３２１、ＲＲＣ制御部３２３、基地局装置間通信部３２５、および、ＭＭＥ通信部３２７から構成される。
【０１６７】
基地局装置間通信部３２５からのユーザーデータは、下りリンク制御部３０１に入力される。下りリンク制御部３０１は、ＲＬＣ層の機能を持ち、基地局装置間通信部３２５から入力されたデータに対してデータの分割及び結合等の処理を行い、データサイズを調節する。また、下りリンク制御部３０１は、特定のデータに対して再送制御を行う。下りリンク制御部３０１は、処理を行ったデータを送信データ記憶部３０３に出力する。
【０１６８】
送信データ記憶部３０３は、下りリンク制御部３０１から入力されたデータをユーザー毎に蓄積し、ＭＡＣ制御部３２１からの指示に基づいて指示されたユーザーのデータを指示されたデータ量分だけ送信ＨＡＲＱ処理部３０５に出力する。また、送信データ記憶部３０３は、蓄積されたデータのデータ量の情報をＭＡＣ制御部３２１に出力する。
【０１６９】
送信ＨＡＲＱ処理部３０５は、入力データに符号化を行い、符号化したデータにパンクチャ処理を行う。そして、送信ＨＡＲＱ処理部３０５は、パンクチャしたデータを送信処理部３０７に出力し、符号化したデータを保存する。送信ＨＡＲＱ処理部３０５は、ＭＡＣ制御部３２１からデータの再送を指示された場合、保存してある符号化したデータから前回に行なったパンクチャと異なるパンクチャ処理を行い、パンクチャしたデータを送信処理部３０７に出力する。
【０１７０】
送信処理部３０７は、送信ＨＡＲＱ処理部３０５から入力されたデータに変調・符号化を行なう。送信処理部３０７は、変調・符号化されたデータを各セルの物理下りリンク制御チャネルＰＤＣＣＨ、下りリンク同期信号、物理報知チャネルＰＢＣＨ、物理下りリンク共用チャネルＰＤＳＣＨなどの信号及び各チャネルにマッピングし、マッピングしたデータを直列／並列変換、ＩＦＦＴ（Inverse Fast Fourier Transform（逆高速フーリエ変換））変換、ＣＰ挿入などのＯＦＤＭ信号処理を行い、ＯＦＤＭ信号を生成する。
【０１７１】
そして、送信処理部３０７は、生成したＯＦＤＭ信号を無線部３０９に出力する。また、送信処理部３０７は、ＭＡＣ制御部３２１から受信データの応答指示があった場合、ＡＣＫまたはＮＡＣＫ信号を生成し、生成した信号を物理下りリンク制御チャネルＰＤＣＣＨに配置し、無線部３０９に出力する。送信処理部３０７は、ＰＨＹ制御部３１９から通知された上りリンク送信許可情報を物理下りリンク制御チャネルＰＤＣＣＨに配置し、無線部３０９に出力する。
【０１７２】
無線部３０９は、送信処理部３０７から入力されたデータを無線周波数にアップコンバートし、送信電力を調整して送信アンテナからデータを送信する。また、無線部３０９は、受信アンテナより受信した無線信号をダウンコンバートし、受信処理部３１１に出力する。受信処理部３１１は、無線部３０９から入力された信号をＦＦＴ（Fast Fourier Transform（高速フーリエ変換））処理、復号化、復調処理等を行なう。
【０１７３】
受信処理部３１１は、復調したデータの中で物理上りリンク共用チャネル（ＰＵＳＣＨ）のデータを受信ＨＡＲＱ処理部３１３に出力する。また、受信処理部３１１は、復調したデータの中で物理上りリンク制御チャネルＰＵＣＣＨから取得した制御データの下りリンク送信データの応答情報（ＡＣＫ／ＮＡＣＫ）、下りリンク無線チャネル品質情報（ＣＱＩ）及び上りリンク送信要求情報（スケジューリングリクエスト）をＭＡＣ制御部３２１に出力する。受信処理部３１３は、上りリンク参照信号を測定して、基地局装置３−２および移動局装置１−１間の上りリンク無線チャネル品質を測定する。
【０１７４】
受信ＨＡＲＱ処理部３１３は、受信処理部３１１からの入力データの復号処理を行い、復号処理に成功した場合、データをＭＡＣ情報抽出部３１５に出力する。受信ＨＡＲＱ処理部３１３は、入力データの復号処理に失敗した場合、復号処理に失敗したデータを保存する。受信ＨＡＲＱ処理部３１３は、再送データを受信した場合、保存してあるデータと再送データを合成し、復号処理を行う。また、受信ＨＡＲＱ処理部３１３は、入力データの復号処理の成否をＭＡＣ制御部３２１に通知する。
【０１７５】
ＭＡＣ情報抽出部３１５は、受信ＨＡＲＱ処理部３１３から入力されたデータからＭＡＣ層の制御データを抽出し、抽出した制御データをＭＡＣ制御部３２１に出力する。ＭＡＣ情報抽出部３１５は、残りのデータを上りリンク制御部３１７に出力する。ＭＡＣ層の制御データには、バッファステータスレポートなどがある。
【０１７６】
上りリンク制御部３１７は、ＲＬＣ層の機能を持つ。上りリンク制御部３１７は、ＭＡＣ情報抽出部３１５から入力されたデータに対してデータの分割及び結合等の処理を行い、データサイズを調節する。また、上りリンク制御部３１７は、特定のデータに対して再送制御を行う。上りリンク制御部３１７は、処理を行ったデータを基地局装置間通信部３２５に出力する。
【０１７７】
ＰＨＹ制御部３１９は、ＭＡＣ制御部３２１からの指示により送信処理部３０７、無線部３０９、および、受信処理部３１１を制御する。ＰＨＹ制御部３１９は、ＭＡＣ制御部３２１から通知された上りリンクのスケジューリング結果から上りリンク送信許可情報を作成し、送信処理部３０７に通知する。
【０１７８】
ＭＡＣ制御部３２１は、ＭＡＣ層の機能を持つ。ＭＡＣ制御部３２１は、ＲＲＣ制御部３２３や下位層などから取得した情報をもとにＭＡＣ層の制御を行う。ＭＡＣ制御部３２１は、下りリンクおよび上りリンクで送信されるデータのスケジューリング処理を行う。ＭＡＣ制御部３２１は、受信処理部３１１から入力された下りリンク送信データの応答情報（ＡＣＫ／ＮＡＣＫ）、下りリンク無線チャネル品質情報（ＣＱＩ）、及び、送信データ記憶部３０３から取得したユーザー毎のデータ量情報から下りリンクデータのスケジューリング処理を行う。ＭＡＣ制御部３２１は、スケジューリング処理の結果に基づいて、送信データ記憶部３０３、送信ＨＡＲＱ処理部３０５、送信処理部３０７を制御する。
【０１７９】
ＭＡＣ制御部３２１は、受信処理部３１１から入力された上りリンク送信要求情報（スケジューリングリクエスト）、ＭＡＣ情報抽出部３１５から入力されたバッファステータスレポートから上りリンクデータのスケジューリング処理を行う。ＭＡＣ制御部３２１は、スケジューリング処理の結果をＰＨＹ制御部３１９に通知する。
【０１８０】
また、ＭＡＣ制御部３２１は、受信処理部３１１から上りリンク送信データに対する応答情報を取得し、応答情報がＮＡＣＫ（否応答）を示していた場合、送信ＨＡＲＱ処理部３０５と送信処理部３０７に再送を指示する。ＭＡＣ制御部３２１は、受信ＨＡＲＱ処理部３１３からデータの復号処理の成否情報を取得した場合、送信処理部３０７にＡＣＫまたはＮＡＣＫ信号を送信するように指示する。
【０１８１】
また、ＭＡＣ制御部３２１は、移動局装置１−１に割り当てたセル（または、コンポーネントキャリア）のアクティベーション／デアクティベーション処理を行う。ＭＡＣ制御部３２１は、送信タイミンググループ及び各送信タイミンググループの上りリンク送信タイミングの管理等を行う。
【０１８２】
ＲＲＣ制御部３２３は、移動局装置１−１との接続及び接続解放処理、キャリアアグリゲーションの設定、移動局装置１−１の制御データおよびユーザーデータをどのセルで送受信するかのデータ制御設定など移動局装置１−１と通信を行うための各種設定を行い、各種設定に伴う上位層との情報のやり取りを行い、各種設定に伴う下位層の制御を行う。
【０１８３】
ＲＲＣ制御部３２３は、各種設定に伴う基地局装置間の制御メッセージを作成し、作成した制御メッセージを基地局装置間通信部３２５に出力する。ＲＲＣ制御部３２３は、基地局装置間通信部３２５から基地局装置間の制御メッセージを解析する。ＲＲＣ制御部３２３は、ＭＡＣ層に必要な情報をＭＡＣ制御部３２１に出力し、物理層に必要な情報をＰＨＹ制御部３１９に出力する。また、ＲＲＣ制御部３２３は、ハンドオーバー、または、デュアルコネクトを行う場合、基地局装置間通信部３２５およびＭＭＥ通信部３２７に必要な情報を通知する。
【０１８４】
基地局装置間通信部３２５は、他の基地局装置（基地局装置３−１）と接続し、ＲＲＣ制御部３２３から入力された基地局装置間の制御メッセージを基地局装置３−１に送信する。また、基地局装置間通信部３２５は、基地局装置３−１からの基地局装置間の制御メッセージを受信し、受信した制御メッセージをＲＲＣ制御部３２３に出力する。すなわち、デュアルコネクトにおいて、基地局装置３−２と移動局装置１−１との無線リンクに関する各種設定は、基地局装置３−１を経由して移動局装置１−１に通知される。基地局装置間の制御メッセージには、ハンドオーバーに関係するメッセージ、デュアルコネクトの接続及び接続解放に関する制御メッセージ、移動局装置１−１のデータ制御に関するメッセージなどがある。
【０１８５】
また、基地局装置間通信部３２５は、デュアルコネクトしている移動局装置１−１の上りリンクユーザーデータを基地局装置３−１に送信する。基地局装置間通信部３２５は、デュアルコネクトしている移動局装置１−１の下りリンクユーザーデータを基地局装置３−１から受信し、受信したデータを下りリンク制御部３０１に出力する。
【０１８６】
ＭＭＥ通信部３２７は、ＭＭＥ（Mobility Management Entity）と接続し、ＲＲＣ制御部３２３から入力された基地局装置−ＭＭＥ間の制御メッセージをＭＭＥに送信する。また、ＭＭＥ通信部３２７は、ＭＭＥからの基地局装置−ＭＭＥ間の制御メッセージを受信し、受信した制御メッセージをＲＲＣ制御部３２３に出力する。基地局装置−ＭＭＥ間の制御メッセージには、パススイッチ要求メッセージ、パススイッチ要求応答メッセージなどがある。
【０１８７】
尚、送信処理部３０７、無線部３０９、受信処理部３１１およびＰＨＹ制御部３１９は、ＰＨＹ層の動作を行う。送信データ記憶部３０３、送信ＨＡＲＱ処理部３０５、受信ＨＡＲＱ処理部３１３、ＭＡＣ情報抽出部３１５およびＭＡＣ制御部３２１は、ＭＡＣ層の動作を行う。下りリンク制御部３０１および上りリンク制御部３１７は、ＲＬＣ層の動作を行う。ＲＲＣ制御部３２３は、ＲＲＣ層の動作を行う。
【０１８８】
[動作説明]
図６〜図１３で説明したような無線通信システムを想定する。そして、図６が示すように、基地局装置３−１と複数の移動局装置１−１、１−２、１−３とが通信を行なう。また、図１１で説明したマクロセルの基地局装置３−１およびスモールセルの基地局装置３−２と移動局装置１−１が複数のセルを介して通信を行なうような無線通信システムを想定する。
【０１８９】
また、図１３に示すように移動局装置１−１は、デュアルコネクトで基地局装置３−１および基地局装置３−２と接続する。マクロセルの基地局装置３−１と移動局装置１−１間では、制御情報（制御データ）またはユーザー情報（ユーザーデータ）の送受信が行われる。スモールセルの基地局装置３−２と移動局装置１−１間では、ユーザー情報の送受信が行われる。
【０１９０】
以下では、基地局装置３−１は、セル１を介して、移動局装置１−１と接続し、基地局装置３−２は、セル２を介して、移動局装置１−１と接続しているとして、基地局装置および移動局装置の動作を示す。尚、各基地局装置は、移動局装置１−１に対して複数のセルを割り当てても良い。セル１（セルグループ１）は、マスターセルグループ（Master Cell Group：ＭＣＧ）、また、セル２（セルグループ２）は、セカンダリーセルグループ（Secondary Cell Group：ＳＣＧ）として設定されても良い。
【０１９１】
基地局装置３−１は基地局装置３−２とデュアルコネクトで移動局装置１−１と接続して通信を行うことを決定した場合、基地局装置３−１は、デュアルコネクト接続要求メッセージ（または、セカンダリーセルグループ追加メッセージ）を基地局装置３−２に送信する。デュアルコネクト接続要求メッセージには、移動局装置１−１の通信能力情報、基地局装置３−１が移動局装置１−１に割り当てる基地局装置３−１のセル（セルグループ）の無線リソース設定情報等が含まれる。
【０１９２】
基地局装置３−２は、デュアルコネクト接続要求メッセージを受信すると、デュアルコネクト接続要求応答メッセージ（または、セカンダリーセルグループ修正要求メッセージ）を基地局装置３−１に送信する。デュアルコネクト接続要求応答メッセージには、基地局装置３−２が移動局装置１−１に割り当てる基地局装置３−２のセル（セルグループ）の無線リソース設定情報等が含まれる。
【０１９３】
基地局装置のセル（セルグループ）の無線リソース設定情報は、無線ベアラ設定情報、物理層設定情報、ＭＡＣ層設定情報、物理チャネル設定情報、ランダムアクセス手順設定情報、セルグループの構成情報が含まれる。尚、物理チャネル設定情報およびランダムアクセス手順設定情報は、セル毎または基地局装置毎の設定情報であり、無線ベアラ設定情報、物理層設定情報およびＭＡＣ層設定情報は、移動局装置毎の設定情報である。
【０１９４】
物理チャネル設定情報には、物理ランダムアクセスチャネル設定情報、物理下りリンク共用チャネル設定情報、物理上りリンク共用チャネル設定情報、物理下りリンク制御チャネル設定情報、物理上りリンク制御チャネル設定情報などが含まれる。尚、物理チャネル設定情報は、各セルの各物理チャネルの構成（配置）情報、送信信号の生成情報、受信信号の復調情報などが含まれる。
【０１９５】
物理層設定情報には、上りリンク共用チャネルの割り当て情報、下りリンク無線品質報告設定情報、上りリンク参照信号割り当て情報、上りリンク送信電力情報、スケジューリングリクエスト設定情報などが含まれる。尚、物理層設定情報には、移動局装置１−１に割り当てられる物理層制御の為の情報が含まれる。
【０１９６】
ＭＡＣ層設定情報には、間欠受信動作設定情報、バッファステータスレポート設定情報、パワーヘッドルームレポート設定情報、送信タイミンググループ設定情報、送信タイミングタイマー設定情報などが含まれる。
【０１９７】
無線ベアラ設定情報には、追加する制御用無線ベアラ情報、追加するデータ用無線ベアラ情報、削除するデータ用無線ベアラ情報が含まれる。追加する制御用無線ベアラ情報には、無線ベアラの論理チャネル設定情報、ＲＬＣ層設定情報などが含まれる。追加するデータ用無線ベアラ情報には、無線ベアラの論理チャネル設定情報、無線ベアラと送信／受信セルの関係を示した情報、ＲＬＣ層設定情報、ＰＤＣＰ層設定情報などが含まれる。論理チャネル設定情報には、論理チャネルの優先度、論理チャネルと論理チャネルグループ（LCG：Logical Channel Group）の関係を示した情報などが含まれる。
【０１９８】
尚、無線ベアラと送信／受信セルの関係を示した情報は、無線ベアラとセルグループの関係を示した情報でも良いし、無線ベアラとＭＡＣ層の関係を示した情報でも良い。また、無線ベアラ設定情報は、基地局装置３−１が作成しても良い。また、追加する制御用無線ベアラ情報は、マクロセルの基地局装置３−１の無線ベアラ設定情報にのみ含まれるようにしても良い。また、無線ベアラ設定情報には、ベアラ分割するデータをどちらの基地局装置に優先的に送信するなどのベアラ分割制御情報を含めても良い。また移動局装置１−１は、各セル（基地局装置）に同じベアラが設定された場合、そのベアラはベアラ分割だと認識してもよい。
【０１９９】
基地局装置３−１は、デュアルコネクト接続要求応答メッセージを受信すると、基地局装置３−２のセル（セルグループ）の追加を示すデュアルコネクト設定メッセージ（または、ＲＲＣ接続再設定メッセージ）を移動局装置１−１に送信する。デュアルコネクト設定メッセージには、デュアルコネクト接続要求応答メッセージに含まれている基地局装置３−２が移動局装置１−１に割り当てる基地局装置３−２のセル（セルグループ）の無線リソース設定情報が含まれる。尚、デュアルコネクト設定メッセージには、基地局装置３−１が移動局装置１−１に割り当てる基地局装置３−１のセル（セルグループ）の無線リソース設定情報が含まれていても良い。
【０２００】
移動局装置１−１は、デュアルコネクト設定メッセージを受信すると、デュアルコネクト設定メッセージに含まれる基地局装置３−２のセル（セルグループ）の無線リソース設定情報を設定し、デュアルコネクト設定完了メッセージ（または、ＲＲＣ接続再設定完了メッセージ）を基地局装置３−１に送信する。基地局装置３−１は、デュアルコネクト設定メッセージを受信すると、基地局装置３−２にデュアルコネクト接続完了メッセージ（または、セカンダリーセルグループ追加完了メッセージ）を送信する。
【０２０１】
例えば、デュアルコネクト設定前の移動局装置１−１の基地局装置３−１に対する無線ベアラの設定が、制御用無線ベアラ１（制御データ１）に対応する論理チャネル１を論理チャネルグループ１、制御用無線ベアラ２（制御データ２）に対応する論理チャネル２を論理チャネルグループ２、データ用無線ベアラ１（ユーザーデータ１）に対応する論理チャネル３を論理チャネルグループ３とされていたとする。
【０２０２】
デュアルコネクト設定メッセージで基地局装置３−２の無線ベアラが、データ用無線ベアラ１（ユーザーデータ１）に対応する論理チャネル１を論理チャネルグループ１、データ用無線ベアラ２（ユーザーデータ２）に対応する論理チャネル２を論理チャネルグループ２と示された場合、移動局装置１−１の無線ベアラは、移動局装置１−１の基地局装置３−１に対する無線ベアラが、制御用無線ベアラ１（制御データ１）に対応する論理チャネル１を論理チャネルグループ１、制御用無線ベアラ２（制御データ２）に対応する論理チャネル２を論理チャネルグループ２、データ用無線ベアラ１（ユーザーデータ１）に対応する論理チャネル３を論理チャネルグループ３と設定され、移動局装置１−１の基地局装置３−２に対する無線ベアラが、データ用無線ベアラ１（ユーザーデータ１）に対応する論理チャネル４を論理チャネルグループ４、データ用無線ベアラ２（ユーザーデータ２）に対応する論理チャネル５を論理チャネルグループ５として設定される。
【０２０３】
尚、この場合、移動局装置１−１は、データ用無線ベアラ１をベアラ分割（bearer split）の無線ベアラとして認識する。尚、基地局装置３−１は、各無線ベアラに対して、別途、ベアラ分割を行うか否かを示す情報を送っても良い。
【０２０４】
移動局装置１−１は、デュアルコネクト設定完了メッセージ送信後、無線リソース設定情報の物理ランダムアクセスチャネル設定情報、ランダムアクセス手順設定情報を使用して、基地局装置３−２に対してランダムアクセス手順を実行する。基地局装置３−２に対するランダムアクセス手順を完了すると、移動局装置１−１および基地局装置３−２は、上りリンクおよび下りリンクのデータ通信を開始する。
【０２０５】
より具体的に移動局装置１−１の動作を説明する。
移動局装置１−１は、デュアルコネクト設定メッセージ（または、ＲＲＣ接続再設定メッセージ）を受信すると、移動局装置１−１のＲＲＣ層は、基地局装置３−２の無線リソース設定情報のそれぞれをＰＨＹ層、ＭＡＣ層、ＲＬＣ層、ＰＤＣＰ層、ＲＲＣ層の適切な層に設定する。例えば、移動局装置１−１のＲＲＣ層は、データ用無線ベアラの設定として、無線ベアラの論理チャネル設定情報、無線ベアラと送信／受信セルの関係を示した情報をＰＤＣＰ層およびＲＬＣ層に設定し、ＰＤＣＰ層設定情報をＰＤＣＰ層に設定し、ＲＬＣ層設定情報をＲＬＣ層に設定する。
【０２０６】
図１３に示すようなデュアルコネクトの状態の移動局装置１−１の通信プロトコル構成について、ＰＨＹ層、ＭＡＣ層、ＲＬＣ層の各層は、各基地局装置に対応して複数個存在するような構成しても良い。つまり、図４のように、移動局装置１−１の通信プロトコルの構成は、基地局装置３−１（または、マスターセルグループ）に対応するＰＨＹ層（ＰＨＹ層１）、ＭＡＣ層（ＭＡＣ層１）、ＲＬＣ層（ＲＬＣ層１）および基地局装置３−２（（または、セカンダリーセルグループ））に対応するＰＨＹ層（ＰＨＹ層２）、ＭＡＣ層（ＭＡＣ層２）、ＲＬＣ層（ＲＬＣ層２）を持つ構成にしても良い。
【０２０７】
尚、図１２に示すようなデュアルコネクトの状態の移動局装置１−１の通信プロトコル構成は、基地局装置３−１（または、マスターセルグループ）に対応するＰＨＹ層（ＰＨＹ層３）、ＭＡＣ層（ＭＡＣ層３）、ＲＬＣ層（ＲＬＣ層３）、ＰＤＣＰ層（ＰＤＣＰ層３）および基地局装置３−２（（または、セカンダリーセルグループ））に対応するＰＨＹ層（ＰＨＹ層４）、ＭＡＣ層（ＭＡＣ層４）、ＲＬＣ層（ＲＬＣ層４）、ＰＤＣＰ層（ＰＤＣＰ層４）を持つ構成にしても良い。
【０２０８】
移動局装置１−１のＲＲＣ層は、無線リソース設定後、デュアルコネクト設定完了メッセージを作成し、基地局装置３−１へ作成したメッセージを送信するために移動局装置１−１のＰＤＣＰ層１に通知する。作成したメッセージは、移動局装置１−１のＰＤＣＰ層１、移動局装置１−１の基地局装置３−１に対応するＲＬＣ層（ＲＬＣ層１）、移動局装置１−１の基地局装置３−１に対応するＭＡＣ層（ＭＡＣ層１）、移動局装置１−１の基地局装置３−１に対応するＰＨＹ層（ＰＨＹ層１）で処理され、基地局装置３−１に送信される。
【０２０９】
次にデュアルコネクト中の移動局装置１−１の動作を示す。
移動局装置１−１で上りリンクデータが発生した場合、移動局装置１−１のＰＤＣＰ層１は、データの暗号化、ヘッダ圧縮などの処理を行い、データの無線ベアラ設定（論理チャネル設定）に応じて、データを各論理チャネルにマッピングして、移動局装置１−１の基地局装置３−１に対応するＲＬＣ層（ＲＬＣ層１）または、移動局装置１−１の基地局装置３−２に対応するＲＬＣ層（ＲＬＣ層２）に処理したデータを転送する。
【０２１０】
例えば、制御用無線ベアラ１のデータが発生した場合は、移動局装置１−１のＰＤＣＰ層１は、制御用無線ベアラ１のデータを論理チャネル１にマッピングして、移動局装置１−１の基地局装置３−１に対応するＲＬＣ層（ＲＬＣ層１）にデータを出力する。次に、移動局装置１−１のＲＬＣ層１は、データの分割（Segmentation）及び連結(Concatenation)を行う。移動局装置１−１のＲＬＣ層１でのデータ処理後、データが移動局装置１−１の基地局装置３−１に対応するＭＡＣ層（ＭＡＣ層１）で蓄積（バッファリング）されると、移動局装置１−１のＭＡＣ層１は、セル１（基地局装置３−１）に対するバッファステータスレポートをトリガ（trigger）する。
【０２１１】
基地局装置３−１からセル１の無線リソース（物理上りリンク共用データチャネルＰＵＳＣＨ）が割り当てられている場合、移動局装置１−１のＭＡＣ層１は、バッファステータスレポートを作成し、バッファステータスレポートおよび／または論理チャネル１のデータを多重して、移動局装置１−１の基地局装置３−１に対応するＰＨＹ層（ＰＨＹ層１）に出力し、移動局装置１−１のＰＨＹ層１は、割り当てられた無線リソースを使用して基地局装置３−１に送信する。そして、再度、基地局装置３−１からセル１の上りリンク送信許可情報を受信し、セル１の無線リソースが割り当てられた場合、移動局装置１−１は、残りのデータを基地局装置３−１に送信する。
【０２１２】
基地局装置３−１からセル１の無線リソースが割り当てられてない場合、移動局装置１−１のＭＡＣ層１は、スケジューリングリクエストをトリガする。移動局装置１−１に物理上りリンク制御チャネルＰＵＣＣＨが割り当てられている場合、移動局装置１−１のＭＡＣ層１は、物理上りリンク制御チャネルＰＵＣＣＨを使用したスケジューリングリクエスト送信を移動局装置１−１のＰＨＹ層１に指示し、移動局装置１−１に物理上りリンク制御チャネルＰＵＣＣＨが割り当てられていない場合、移動局装置１−１のＭＡＣ層１は、競合ベースランダムアクセス手順を開始する。
【０２１３】
そして、基地局装置３−１からセル１の無線リソース（物理上りリンク共用データチャネルＰＵＳＣＨ）が割り当てられた時、移動局装置１−１のＭＡＣ層１は、バッファステータスレポートを作成し、バッファステータスレポートおよび／または論理チャネル１のデータを多重して、移動局装置１−１のＰＨＹ層１に出力し、移動局装置１−１のＰＨＹ層１は、割り当てられた無線リソースを使用して基地局装置３−１に送信する。
【０２１４】
また、ベアラ分割のデータ用無線ベアラ１のデータが発生した場合、移動局装置１−１のＰＤＣＰ層１は、移動局装置１−１のＲＬＣ層１または移動局装置１−１のＲＬＣ層２のどちらかのＲＬＣ層にデータを出力するか決定する。移動局装置１−１のＰＤＣＰ層１は、各ＭＡＣ層で蓄積されているデータ量に応じてどちらのＲＬＣ層にデータを出力するか決定する。
【０２１５】
また、移動局装置１−１のＰＤＣＰ層１は、無線リンク（無線チャネル）の品質状態に応じてどちらのＲＬＣ層にデータを出力するか決定するようにしても良い。また、移動局装置１−１のＰＤＣＰ層１は、基地局装置３−１から通知された条件に応じて、どちらのＲＬＣ層にデータを出力するか決定するようにしても良い。
【０２１６】
データを受信した移動局装置１−１のＲＬＣ層、ＭＡＣ層およびＰＨＹ層は、同様にデータを処理し、無線リソースを割り当てられた時、データを対応した基地局装置に送信する。
【０２１７】
移動局装置１−１が基地局装置３−２に対してデータを送信し、基地局装置３−２のＲＬＣ層からデータの再送指示（否応答（ＮＡＣＫ））があった場合、移動局装置１−１のＲＬＣ層２はデータの再送制御を行う。再送回数がＲＬＣ設定情報で示されたＲＬＣ層最大送信回数に達した場合、移動局装置１−１のＲＬＣ層２は、再送制御を中止し、移動局装置１−１のＲＲＣ層にデータの再送回数がＲＬＣ層最大送信回数に達したことを示すＲＬＣ失敗（またはＲＬＣ問題）を通知する。
【０２１８】
移動局装置１−１のＲＲＣ層にＲＬＣ失敗を通知後、移動局装置１−１のＲＬＣ層２は、ＲＬＣ層２で処理が完了していないデータの破棄、ＲＬＣ層２に関連するタイマーの停止またはリセット、各種パラメータの初期化またはリセットなどの処理を行うようにしても良い。
【０２１９】
移動局装置１−１のＲＬＣ層２からＲＬＣ失敗を通知された場合、移動局装置１−１のＲＲＣ層は、基地局装置３−２に対するＲＬＣ失敗（ＲＬＣ問題または無線リンク失敗）を示したメッセージを作成し、作成したメッセージを送信するために基地局装置３−１へのデータとして移動局装置１−１のＰＤＣＰ層１に通知する。作成したメッセージは、移動局装置１−１のＰＤＣＰ層１、移動局装置１−１の基地局装置３−１に対応するＲＬＣ層（ＲＬＣ層１）、移動局装置１−１のＭＡＣ層１、移動局装置１−１のＰＨＹ層１で処理され、基地局装置３−１に送信される。
【０２２０】
また、移動局装置１−１のＲＲＣ層は、移動局装置１−１のＰＤＣＰ層１、移動局装置１−１のＲＬＣ層２およびＭＡＣ層２に対して、基地局装置３−２に対応した無線ベアラを基地局装置３−１の対応する無線ベアラに変更する指示を行ってもよい。つまり、移動局装置１−１のＲＲＣ層は、基地局装置３−２のみに設定されている無線ベアラに対して、基地局装置３−１の無線ベアラとして設定するようにしても良い。また、移動局装置１−１のＲＲＣ層は、ベアラ分割の設定がされている無線ベアラに対して、基地局装置３−２に対応した無線ベアラを解放（破棄）する指示を行うようにしても良い。
【０２２１】
また、移動局装置１−１のＲＲＣ層は、基地局装置３−２に対応した全ての無線ベアラに対して、解放（破棄）する指示行うようにしても良い。移動局装置１−１のＰＤＣＰ層１、移動局装置１−１のＲＬＣ層２およびＭＡＣ層２は、移動局装置１−１のＲＲＣ層から解放を指示された無線ベアラの設定情報を破棄（または解放）してもよい。
【０２２２】
また、移動局装置１−１のＲＲＣ層は、基地局装置３−２への上りリンク送信を禁止するために、移動局装置１−１のＰＤＣＰ層１に対して、基地局装置３−２に対するデータの破棄、または、再確立（re-establishment）を指示してもよい。移動局装置１−１のＲＲＣ層は、移動局装置１−１のＭＡＣ層２に対して、ＭＡＣ層のリセットを通知してもよい。移動局装置１−１のＲＲＣ層は、移動局装置１−１のＲＬＣ層２に対して、再確立（re-establishment）を指示してもよい。尚、移動局装置１−１のＲＬＣ層２が、移動局装置１−１のＭＡＣ層２に対して、ＭＡＣ層のリセットを通知するようにしても良い。
【０２２３】
尚、ＰＤＣＰ層の再確立（re-establishment）では、ＰＤＣＰ層は、ＰＤＣＰ層の初期化処理等を行う。ＲＬＣ層の再確立（re-establishment）では、ＲＬＣ層は、ＲＬＣ層で処理が完了していないデータの破棄、ＲＬＣ層に関連するタイマーの停止またはリセット、各種パラメータの初期化またはリセットなどの処理を行う。
【０２２４】
ＭＡＣリセットでは、ＭＡＣ層は、各パラメータの初期化等の処理を行う。具体的には、ＭＡＣ層は、ＭＡＣ層で管理している各種タイマー（例えば、バッファステータスレポート関連タイマー、パワーヘッドルームレポート関連タイマー、送信タイミングタイマー）タイマーの停止、ＭＡＣ層で管理しているトリガ（例えば、バッファステータスレポート関連トリガ、パワーヘッドルームレポート関連トリガ、）のキャンセル、移動局装置１−１の基地局装置３−２に対応するＭＡＣ層が管理している下りリンク受信バッファおよび上りリンク送信バッファのデータの消去（flush）、通知されたプリアンブル番号およびランダムアクセスチャネル番号の削除、ランダムアクセス手順の中止などの処理を行う。
【０２２５】
また、移動局装置１−１のＲＲＣ層は、基地局装置３−２から割り当てられている上りリンク制御チャネル、上りリンク参照信号を解放する。つまり、移動局装置１−１のＲＲＣ層は、基地局装置３−２から通知された下りリンク無線品質報告設定情報、上りリンク参照信号割り当て情報、スケジューリングリクエスト設定情報を削除し、パラメータを初期化してもよい。
【０２２６】
また、基地局装置３−２へのランダムアクセス手順が実行されないようするために、移動局装置１−１のＲＲＣ層は、基地局装置３−２のセルに関連する物理ランダムアクセス設定情報、ランダムアクセス手順設定情報を破棄するようにしても良い。このようにして、移動局装置１−１が基地局装置３−２に対しての全ての上りリンク送信をできないようにする。
【０２２７】
尚、移動局装置１−１の基地局装置３−１に対するＲＬＣ層（ＲＬＣ層１）のデータ再送信制御において、再送回数がＲＬＣ設定情報で示されたＲＬＣ層データ最大送信回数に達した場合、移動局装置１−１のＲＬＣ層１は、移動局装置１−１のＲＲＣ層にデータの再送回数がＲＬＣ層最大送信回数に達したことを示すＲＬＣ失敗（またはＲＬＣ問題）を通知する。移動局装置１−１のＲＬＣ層１からＲＬＣ失敗を通知された場合、移動局装置１−１のＲＲＣ層は、ＲＲＣ層の再確立（re-establishment）手順を実行する。尚、ＲＲＣ層の再確立手順は、基地局装置３−１および基地局装置３−２との通信を切断して、セル選択を行い、選択した基地局装置との接続処理を行う手順である。
【０２２８】
尚、基地局装置３−１は、基地局装置３−２に対する無線リンク失敗（または、ＲＬＣ失敗）を示したメッセージを受信すると、基地局装置３−２に対して、移動局装置１−１とのデュアルコネクトの中止を示したデュアルコネクト解放メッセージを送信する。基地局装置３−２は、デュアルコネクト解放メッセージを受信した場合、基地局装置３−２にある移動局装置１−１のデータを基地局装置３−１に転送する。データ転送後、基地局装置３−２は、基地局装置３−１にデュアルコネクト解放応答メッセージを送信する。また、基地局装置３−２は、移動局装置１−１に関する情報を破棄する。
【０２２９】
基地局装置３−１は、基地局装置３−２のセル（セルグループ）の解放（セルの削除）を示すデュアルコネクト解除メッセージ（または、ＲＲＣ再設定メッセージ）を移動局装置１−１に送信する。移動局装置１−１は、基地局装置３−２のセル（セルグループ）の解放（セルの削除）を示すデュアルコネクト解除メッセージ（ＲＲＣ再設定メッセージ）を受信すると、基地局装置３−２のセル（セルグループ）の無線リソース設定情報を破棄する。
【０２３０】
また、デュアルコネクト中に移動局装置１−１が、基地局装置３−２と移動局装置１−１間の下りリンクの無線チャネルの品質異常を検出した場合もＲＬＣ失敗と同様の処理を行うようにしても良い。
【０２３１】
つまり、基地局装置３−２と移動局装置１−１間の無線リンクにおいて、移動局装置１−１のＲＲＣ層が、移動局装置１−１のＰＨＹ層２からの情報に基づいて無線リンク失敗を検出した場合、移動局装置１−１のＲＲＣ層は、移動局装置１−１のＰＤＣＰ層１、移動局装置１−１のＲＬＣ層２およびＭＡＣ層２に対して、基地局装置３−２に対応した無線ベアラを基地局装置３−１の対応する無線ベアラに変更する指示を行う。
【０２３２】
また、移動局装置１−１のＲＲＣ層は、移動局装置１−１のＰＤＣＰ層１に対して、基地局装置３−２に対するデータの破棄、または、再確立を指示する。移動局装置１−１のＲＲＣ層は、移動局装置１−１のＭＡＣ層２に対して、ＭＡＣ層のリセットを通知する。移動局装置１−１のＲＲＣ層は、移動局装置１−１のＲＬＣ層２に対して、再確立を指示する。移動局装置１−１のＲＲＣ層は、基地局装置３−２のセルに関連する物理ランダムアクセス設定情報、ランダムアクセス手順設定情報を破棄するようにしても良い。
【０２３３】
尚、図１２に示すようなデュアルコネクトの場合の移動局装置１−１の動作も同じである。つまり、移動局装置１−１のＲＬＣ層４からＲＬＣ失敗を通知された場合、移動局装置１−１のＲＲＣ層は、移動局装置１−１のＰＤＣＰ層４、ＲＬＣ層４、ＭＡＣ層４に基地局装置３−２に対応した無線ベアラを基地局装置３−１の対応する無線ベアラに変更する指示を行う。
【０２３４】
また、移動局装置１−１のＲＲＣ層は、移動局装置１−１のＰＤＣＰ層４に対して、基地局装置３−２に対するデータの破棄、または、再確立を指示する。移動局装置１−１のＲＲＣ層は、移動局装置１−１のＲＬＣ層４に対して、再確立を指示する。移動局装置１−１のＲＲＣ層は、移動局装置１−１のＭＡＣ層４に対して、ＭＡＣ層のリセットを通知する。
【０２３５】
このようにすることで、移動局装置１−１は、適切なセル（または、基地局装置）に対して、上りリンクデータ送信を行うことができる。また、基地局装置３−１および基地局装置３−２は、適切なセル（または、基地局装置）に対する上りリンクデータ送信制御を移動局装置１−１に実行させることができる。
【０２３６】
以上、図面を参照してこの発明の一実施形態について詳しく説明してきたが、具体的な構成は上述のものに限られることはなく、この発明の要旨を逸脱しない範囲内において様々な設計変更等をすることが可能である。
【０２３７】
実施形態では、端末装置もしくは通信装置の一例として移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来ることは言うまでもない。
【０２３８】
また、説明の便宜上、実施形態の移動局装置１−１、基地局装置３−１および基地局装置３−２を機能的なブロック図を用いて説明したが、移動局装置１−１、基地局装置３−１および基地局装置３−２の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行なっても良い。尚、ここでいう「コンピュータシステム」とは、ＯＳや周辺機器等のハードウェアを含むものとする。
【０２３９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【０２４０】
また、上記各実施形態に用いた各機能ブロックは、典型的には集積回路であるＬＳＩとして実現してもよい。各機能ブロックは個別にチップ化してもよいし、一部または全部を集積してチップ化してもよい。また、集積回路化の手法はＬＳＩに限らず専用回路または汎用プロセッサで実現しても良い。また、半導体技術の進歩によりＬＳＩに代替する集積回路化の技術が出現した場合、当該技術による集積回路を用いることも可能である。
【０２４１】
以上、この発明の実施形態について図面を参照して詳述してきたが、具体的な構成はこの実施形態に限られるものではなく、この発明の要旨を逸脱しない範囲の設計等も特許請求の範囲に含まれる。
【産業上の利用可能性】
【０２４２】
本発明の一態様は、例えば、効率的なデータ送信制御を可能にすることが必要な無線通信システム、端末装置、無線通信方法、集積回路および処理方法などに適用することができる。
【符号の説明】
【０２４３】
１−１〜１−３  移動局装置
３−１  マクロセルの基地局装置
３−２  スモールセルの基地局装置
１０１、２２１  上りリンクデータ処理部
１２１、２０１  下りリンクデータ処理部
１０３−１、１０３−２、２１９、３１７  上りリンク制御部
１０５−１、１０５−２、２０５、３０３  送信データ記憶部
１０７−１、１０７−２、２０７、３０５  送信ＨＡＲＱ処理部
１０９−１、１０９−２、２０９、３０７  送信処理部
１１１−１、１１１−２、２１１、３０９  無線部
１１３−１、１１３−２、２１３、３１１  受信処理部
１１５−１、１１５−２、２１５、３１３  受信ＨＡＲＱ処理部
１１７−１、１１７−２、２１７、３１５  ＭＡＣ情報抽出部
１１９−１、１１９−２、２０３、３０１  下りリンク制御部
１２３−１、１２３−２、２２３、３１９  ＰＨＹ制御部
１２５−１、１２５−２、２２５、３２１  ＭＡＣ制御部
１２７、２２７、３２３  ＲＲＣ制御部
２２９、３２５  基地局装置間通信部
２３１、３２７  ＭＭＥ通信部
２３３  ＧＷ通信部
【図１】
0006532062.tif 000002
【図２】
0006532062.tif 000003
【図３】
0006532062.tif 000004
【図４】
0006532062.tif 000005
【図５】
0006532062.tif 000006
【図６】
0006532062.tif 000007
【図７】
0006532062.tif 000008
【図８】
0006532062.tif 000009
【図９】
0006532062.tif 000010
【図１０】
0006532062.tif 000011
【図１１】
0006532062.tif 000012
【図１２】
0006532062.tif 000013
【図１３】
0006532062.tif 000014